(57)【要約】  本開示の実施形態は、復調参照信号（ＤＭＲＳ）設定のための方法および装置に関する。例示的な実施形態では、ネットワークデバイスで実施される方法が提供される。この方法によれば、ネットワークデバイスと端末デバイスとの間のＤＭＲＳ送信のための第１の設定が決定される。第１の設定は、送信スケジューリングに関する第２の設定に関連付けられる、ＤＭＲＳ送信に関する第１の情報を含む。第１の設定に関する第２の情報を端末デバイスに送信することによって、第１の情報および第２の設定の両方は、端末デバイスに示される。【選択図】図３
2021502777.tif 000002
【特許請求の範囲】
【請求項１】
ネットワークデバイス内で実行される方法であって、
前記ネットワークデバイスと端末デバイスとの間の復調参照信号（ＤＭＲＳ：Demodulation Reference Signal）送信のための第１の設定であって、送信スケジューリングに関する第２の設定に関連付けられる、前記ＤＭＲＳ送信に関する第１の情報を含む前記第１の設定を決定することと、
前記第１の設定に関する第２の情報を前記端末デバイスに送信することによって、前記第１の情報および前記第２の設定の両方を前記端末デバイスに示すことと、
を備える方法。
【請求項２】
前記第１の情報は、前記ＤＭＲＳ送信のために使用される１つまたは複数のＤＭＲＳポート、ＤＭＲＳシーケンスのスクランブリング識別子、ＤＭＲＳ送信レイヤの数、ＤＭＲＳ設定パターン、および前方ＤＭＲＳのシンボルの数のうちの少なくとも１つを示す、請求項１に記載の方法。
【請求項３】
前記第１の情報は、前記ＤＭＲＳ送信のために使用される前記ＤＭＲＳ設定パターンおよび前記１つまたは複数のＤＭＲＳポートを示し、前記ＤＭＲＳ設定パターンは、少なくとも第１のＤＭＲＳポートのグループおよび第２のＤＭＲＳポートのグループに関連付けられ、前記１つまたは複数のＤＭＲＳポートは、前記第１のＤＭＲＳポートのグループに含まれ、前記第２の設定は、レートマッチングのために前記第２のＤＭＲＳポートのグループが存在するかどうかを示す、請求項２に記載の方法。
【請求項４】
前記第２の設定は、シングルユーザスケジューリング、マルチユーザスケジューリング、シングルユーザとマルチユーザスケジューリング、シングルパネルスケジューリング、マルチパネルスケジューリング、シングル送受信ポイント（シングルＴＲＰ）スケジューリングおよびマルチ送受信ポイント（マルチＴＲＰ）スケジューリングのうちの少なくとも１つをさらに示す、請求項３に記載の方法。
【請求項５】
前記第１の情報は、前記ＤＭＲＳ送信のために使用される前記ＤＭＲＳ設定パターンを示し、前記第２の設定は、同じ数のＤＭＲＳ送信レイヤを有する前記ネットワークデバイスによって協調スケジュールされる端末デバイスの最大数を示す、請求項２に記載の方法。
【請求項６】
前記第１の設定を決定することは、
異なる端末デバイスと前記ネットワークデバイスとの間のＤＭＲＳ送信のために複数の設定を決定することと、
前記複数の設定から、前記第１の設定を前記端末デバイスに割り当てることと、
を備える、請求項１に記載の方法。
【請求項７】
前記第２の情報を送信することは、
上位レイヤのシグナリングを介して、前記複数の設定の第１の指示を前記端末デバイスに送信することと、
動的シグナリングを介して、前記第１の設定の第２の指示を前記端末デバイスに送信することと、
を備える、請求項６に記載の方法。
【請求項８】
前記ＤＭＲＳ送信は、前記ネットワークデバイスからのダウンリンク（ＤＬ：downlink）ＤＭＲＳ送信および前記端末デバイスからのアップリンク（ＵＬ：uplink）送信を含み、前記ＤＬ  ＤＭＲＳ送信および前記ＵＬ  ＤＭＲＳ送信は、同じスロットでスケジュールされ、
前記方法は、さらに、
同じスロット内の物理アップリンク共有チャネル（ＰＵＳＣＨ：Physical Uplink Shared Channel）送信のための第１の開始位置を決定することと、
同じスロット内の前記ＤＬ  ＤＭＲＳ送信のための第２の開始位置を決定することと、
前記第１の開始位置および前記第２の開始位置に基づいて、同じスロット内の前記ＵＬ  ＤＭＲＳ送信のための第３の開始位置を決定することと、
を備える、請求項１に記載の方法。
【請求項９】
端末デバイス内で実行される方法であって、
ネットワークデバイスから、前記ネットワークデバイスと前記端末デバイスとの間の復調参照信号（ＤＭＲＳ：Demodulation Reference Signal）送信のための第１の設定に関する第２の情報を受信することと、
少なくとも前記第２の情報に基づいて、第１の情報と第２の設定の両方を決定することと、
を備え、
前記第１の設定は、前記ＤＭＲＳ送信に関する前記第１の情報を含み、前記第１の情報は、送信スケジューリングに関する前記第２の設定に関連付けられている、
方法。
【請求項１０】
前記第１の情報は、前記ＤＭＲＳ送信のために使用される１つまたは複数のＤＭＲＳポート、ＤＭＲＳシーケンスのスクランブリング識別、ＤＭＲＳ送信レイヤの数、ＤＭＲＳ設定パターン、および前方ＤＭＲＳのシンボルの数のうちの少なくとも１つを示す、請求項９に記載の方法。
【請求項１１】
前記第１の情報は、前記ＤＭＲＳ送信のために使用される前記ＤＭＲＳ設定パターンおよび前記１つまたは複数のＤＭＲＳポートを示し、前記ＤＭＲＳ設定パターンは、少なくとも第１のＤＭＲＳポートのグループおよび第２のＤＭＲＳポートのグループに関連付けられ、前記１つまたは複数のＤＭＲＳポートは、前記第１のＤＭＲＳポートのグループに含まれ、前記第２の設定は、レートマッチングのために前記第２のＤＭＲＳポートのグループが存在するかどうかを示す、請求項１０に記載の方法。
【請求項１２】
前記第２の設定は、シングルユーザスケジューリング、マルチユーザスケジューリング、シングルユーザとマルチユーザスケジューリング、シングルパネルスケジューリング、マルチパネルスケジューリング、シングル送受信ポイント（シングルＴＲＰ）スケジューリングおよびマルチ送受信ポイント（マルチＴＲＰ）スケジューリングのうちの少なくとも１つをさらに示す、請求項１１に記載の方法。
【請求項１３】
前記第２の情報を受信することは、
上位レイヤのシグナリングを介して、異なる端末デバイスと前記ネットワークデバイスとの間のＤＭＲＳ送信のための複数の設定の第１の指示を受信することと、
動的シグナリングを介して、前記第１の設定の第２の指示を受信することと、
を備える、請求項９に記載の方法。
【請求項１４】
前記第１の情報および前記第２の設定の両方を決定することは、
前記ＤＭＲＳ送信に関する事前に設定されたパラメータおよび前記第２の情報に基づいて、前記ＤＭＲＳ送信のための第３の設定を決定することを、さらに備え、
前記第３の設定は前記第１の情報および前記第２の設定を含む、請求項９に記載の方法。
【請求項１５】
前記ＤＭＲＳ送信は、前記ネットワークデバイスからのダウンリンク（ＤＬ：downlink）ＤＭＲＳ送信および前記端末デバイスからのアップリンク（ＵＬ：uplink）送信を含み、前記ＤＬ  ＤＭＲＳ送信および前記ＵＬ  ＤＭＲＳ送信は、同じスロットでスケジュールされ、
前記方法は、さらに、
同じスロット内の物理アップリンク共有チャネル（ＰＵＳＣＨ：Physical Uplink Shared Channel）送信のための第１の開始位置を決定することと、
同じスロット内の前記ＤＬ  ＤＭＲＳ送信のための第２の開始位置を決定することと、
前記第１の開始位置および前記第２の開始位置に基づいて、同じスロット内の前記ＵＬ  ＤＭＲＳ送信のための第３の開始位置を決定することと、
を備える、請求項１４に記載の方法。
【請求項１６】
プロセッサと、
前記プロセッサに接続され、命令が格納されるメモリと、
を備え、
前記命令は、前記プロセッサによって実行されると、ネットワークデバイスに動作を実行させ、
前記動作は、
前記ネットワークデバイスと端末デバイスとの間の復調参照信号（ＤＭＲＳ：Demodulation Reference Signal）送信のための第１の設定であって、送信スケジューリングに関する第２の設定に関連付けられる、前記ＤＭＲＳ送信に関する第１の情報を含む前記第１の設定を決定することと、
前記第１の設定に関する第２の情報を前記端末デバイスに送信することによって、前記第１の情報および前記第２の設定の両方を前記端末デバイスに示すことと、を備える、
ネットワークデバイス。
【請求項１７】
前記第１の情報は、前記ＤＭＲＳ送信のために使用される１つまたは複数のＤＭＲＳポート、ＤＭＲＳシーケンスのスクランブリング識別、ＤＭＲＳ送信レイヤの数、ＤＭＲＳ設定パターン、および前方ＤＭＲＳのシンボルの数のうちの少なくとも１つを示す、請求項１６に記載のネットワークデバイス。
【請求項１８】
前記第１の情報は、前記ＤＭＲＳ送信のために使用される前記ＤＭＲＳ設定パターンおよび前記１つまたは複数のＤＭＲＳポートを示し、前記ＤＭＲＳ設定パターンは、少なくとも第１のＤＭＲＳポートのグループおよび第２のＤＭＲＳポートのグループに関連付けられ、前記１つまたは複数のＤＭＲＳポートは、前記第１のＤＭＲＳポートのグループに含まれ、前記第２の設定は、レートマッチングのために前記第２のＤＭＲＳポートのグループが存在するかどうかを示す、請求項１７に記載のネットワークデバイス。
【請求項１９】
前記第２の設定は、シングルユーザスケジューリング、マルチユーザスケジューリング、シングルユーザとマルチユーザスケジューリング、シングルパネルスケジューリング、マルチパネルスケジューリング、シングル送受信ポイント（シングルＴＲＰ）スケジューリングおよびマルチ送受信ポイント（マルチＴＲＰ）スケジューリングのうちの少なくとも１つをさらに示す、請求項１８に記載のネットワークデバイス。
【請求項２０】
前記第１の情報は、前記ＤＭＲＳ送信のために使用される前記ＤＭＲＳ設定パターンを示し、前記第２の設定は、同じ数のＤＭＲＳ送信レイヤを有する前記ネットワークデバイスによって協調スケジュールされる端末デバイスの最大数を示す、請求項１７に記載のネットワークデバイス。
【請求項２１】
前記第１の設定を決定することは、
異なる端末デバイスと前記ネットワークデバイスとの間のＤＭＲＳ送信のために複数の設定を決定することと、
前記複数の設定から、前記第１の設定を前記端末デバイスに割り当てることと、
を備える、請求項１６に記載のネットワークデバイス。
【請求項２２】
前記第２の情報を送信することは、
上位レイヤのシグナリングを介して、前記複数の設定の第１の指示を前記端末デバイスに送信することと、
動的シグナリングを介して、前記第１の設定の第２の指示を前記端末デバイスに送信することと、
を備える、請求項２１に記載のネットワークデバイス。
【請求項２３】
前記ＤＭＲＳ送信は、前記ネットワークデバイスからのダウンリンク（ＤＬ：downlink）ＤＭＲＳ送信および前記端末デバイスからのアップリンク（ＵＬ：uplink）送信を含み、前記ＤＬ  ＤＭＲＳ送信および前記ＵＬ  ＤＭＲＳ送信は、同じスロットでスケジュールされ、
前記方法は、さらに、
同じスロット内の物理アップリンク共有チャネル（ＰＵＳＣＨ：Physical Uplink Shared Channel）送信のための第１の開始位置を決定することと、
同じスロット内の前記ＤＬ  ＤＭＲＳ送信のための第２の開始位置を決定することと、
前記第１の開始位置および前記第２の開始位置に基づいて、同じスロット内の前記ＵＬ  ＤＭＲＳ送信のための第３の開始位置を決定することと、
を備える、請求項１６に記載のネットワークデバイス。
【請求項２４】
プロセッサと、
前記プロセッサに結合され、命令が格納されるメモリと、
を備え、
前記命令は、前記プロセッサによって実行されると、端末デバイスに動作を実行させ、
前記動作は、
ネットワークデバイスから、前記ネットワークデバイスと前記端末デバイスとの間の復調参照信号（ＤＭＲＳ：Demodulation Reference Signal）送信のための第１の設定に関する第２の情報を受信することと、
少なくとも前記第２の情報に基づいて、第１の情報と第２の設定の両方を決定することと、
を備え、
前記第１の設定は、前記ＤＭＲＳ送信に関する前記第１の情報を含み、前記第１の情報は、送信スケジューリングに関する前記第２の設定に関連付けられている、端末デバイス。
【請求項２５】
前記第１の情報は、前記ＤＭＲＳ送信のために使用される１つまたは複数のＤＭＲＳポート、ＤＭＲＳシーケンスのスクランブリング識別、ＤＭＲＳ送信レイヤの数、ＤＭＲＳ設定パターン、および前方ＤＭＲＳのシンボルの数のうちの少なくとも１つを示す、請求項２４に記載の端末デバイス。
【請求項２６】
前記第１の情報は、前記ＤＭＲＳ送信のために使用される前記ＤＭＲＳ設定パターンおよび前記１つまたは複数のＤＭＲＳポートを示し、前記ＤＭＲＳ設定パターンは、少なくとも第１のＤＭＲＳポートのグループおよび第２のＤＭＲＳポートのグループに関連付けられ、前記１つまたは複数のＤＭＲＳポートは、前記第１のＤＭＲＳポートのグループに含まれ、前記第２の設定は、レートマッチングのために前記第２のＤＭＲＳポートのグループが存在するかどうかを示す、請求項２５に記載の端末デバイス。
【請求項２７】
前記第２の設定は、シングルユーザスケジューリング、マルチユーザスケジューリング、シングルユーザとマルチユーザスケジューリング、シングルパネルスケジューリング、マルチパネルスケジューリング、シングル送受信ポイント（シングルＴＲＰ）スケジューリングおよびマルチ送受信ポイント（マルチＴＲＰ）スケジューリングのうちの少なくとも１つをさらに示す、請求項２６に記載の端末デバイス。
【請求項２８】
前記第２の情報を受信することは、
上位レイヤのシグナリングを介して、異なる端末デバイスと前記ネットワークデバイスとの間のＤＭＲＳ送信のための複数の設定の第１の指示を受信することと、
動的シグナリングを介して、前記第１の設定の第２の指示を受信することと、
を備える、請求項２４に記載の端末デバイス。
【請求項２９】
前記第１の情報および前記第２の設定の両方を決定することは、
前記ＤＭＲＳ送信に関する事前に設定されたパラメータおよび前記第２の情報に基づいて、前記ＤＭＲＳ送信のための第３の設定を決定することを、さらに備え、
前記第３の設定は前記第１の情報および前記第２の設定を含む、請求項２４に記載の端末デバイス。
【請求項３０】
前記ＤＭＲＳ送信は、前記ネットワークデバイスからのダウンリンク（ＤＬ：downlink）ＤＭＲＳ送信および前記端末デバイスからのアップリンク（ＵＬ：uplink）送信を含み、前記ＤＬ  ＤＭＲＳ送信および前記ＵＬ  ＤＭＲＳ送信は、同じスロットでスケジュールされ、
前記方法は、さらに、
同じスロット内の物理アップリンク共有チャネル（ＰＵＳＣＨ：Physical Uplink Shared Channel）送信のための第１の開始位置を決定することと、
同じスロット内の前記ＤＬ  ＤＭＲＳ送信のための第２の開始位置を決定することと、
前記第１の開始位置および前記第２の開始位置に基づいて、同じスロット内の前記ＵＬ  ＤＭＲＳ送信のための第３の開始位置を決定することと、
を備える、請求項２９に記載の端末デバイス。
【請求項３１】
少なくとも１つのプロセッサで実行されると、前記少なくとも１つのプロセッサに請求項１〜８のいずれか一項に記載の方法を実行させる命令が格納されたコンピュータ読み取り可能な媒体。
【請求項３２】
少なくとも１つのプロセッサで実行されると、前記少なくとも１つのプロセッサに請求項９〜１５のいずれか一項に記載の方法を実行させる命令が格納されたコンピュータ読み取り可能な媒体。
【発明の詳細な説明】
【技術分野】
【０００１】
本開示の実施形態は、一般的に電気通信分野に関し、特に、復調参照信号（ＤＭＲＳ：Demodulation Reference Signal）設定（configuration）のための方法および装置に関する。
【背景技術】
【０００２】
通信技術の発展に伴い、複数のタイプのサービスまたはトラフィックが提案されており、例えば、一般的に高いデータレートを必要とする拡張モバイルブロードバンド（ｅＭＢＢ：enhanced Mobile Broadband）、通常、長いバッテリー寿命を必要とする大容量マシン型通信（ｍＭＴＣ：massive Machine Type Communications）、および超高信頼性と低遅延通信（ＵＲＬＬＣ：Ultra Reliable and Low Latency Communication）がある。一方、マルチ送受信ポイント（ｍｕｌｔｉ−ＴＲＰ（multi-Transmission and Reception Point）の送信および／またはマルチパネル送信などのマルチアンテナ方式は、新しい無線アクセス（ＮＲ：New Radio Access）のために研究されている。
【０００３】
従来、ネットワークデバイス（例えば、ｅＮＢまたはｇＮＢ）は、チャネル復調のためのシステムにおいて、ダウンリンクＤＭＲＳを端末デバイス（例えば、ユーザ機器）に送信する。端末デバイスは、割り当てられたリソースでダウンリンクＤＭＲＳを受信することができる。端末デバイスは、対応する割り当てられたリソースでアップリンクＤＭＲＳをネットワークデバイスに送信することもできる。割り当てられたリソースおよびＤＭＲＳのための他の必要な情報を示すために、ネットワークデバイスは、ＤＭＲＳの送信の前にＤＭＲＳ設定を端末デバイスに送信することができる。
【０００４】
ＮＲにおいて、時間および／または周波数領域における符号分割多重化（ＣＤＭ：Code Division Multiplexing）技術、および／または周波数分割多重化（ＦＤＭ：Frequency Division Multiplexing）技術に基づいて、異なるＤＭＲＳポートは、多重化され得る。例えば、ＣＤＭ技術に基づいて多重化されたＤＭＲＳポートのグループは、「ＣＤＭグループ」とも呼ばれる。さらに、前方に配置される前方ＤＭＲＳ（front-loaded DMRS）は、高速復号をサポートし、前方ＤＭＲＳに加えて追加のＤＭＲＳは、高速／高ドップラーシナリオをサポートする。ＯＦＤＭベースのシステムでは、物理アップリンク共有チャネル（ＰＵＳＣＨ：Physical Uplink Shared Channel）の前方ＤＭＲＳの第１の位置の箇所について、スケジュールされたデータに関する１番目のＯＦＤＭシンボルに前方アップリンクＤＭＲＳの１番目のシンボルが含まれることが合意されている。また、スロットの３番目または４番目のシンボルには、前方ＤＭＲＳの１番目のシンボルが含まれることも合意されている。ただし、ＤＭＲＳ設定の詳細はまだ設計されていない。さまざまな状況を考慮して、設定の柔軟性とシグナリングオーバーヘッドのバランスをとるために、ＤＭＲＳ設定案を検討する必要がある。
【発明の概要】
【発明が解決しようとする課題】
【０００５】
概して、本開示の例示的な実施形態は、ＤＭＲＳ設定のための方法および装置を提供する。
【課題を解決するための手段】
【０００６】
第１の態様では、ネットワークデバイスで実施される方法が提供される。この方法によれば、ネットワークデバイスと端末デバイスとの間の復調参照信号（ＤＭＲＳ）送信のための第１の設定が決定される。第１の設定は、送信スケジューリングに関する第２の設定に関連付けられる、ＤＭＲＳ送信に関する第１の情報を含む。第１の設定に関する第２の情報を端末デバイスに送信することによって、第１の情報および第２の設定の両方は、端末デバイスに示される。
【０００７】
第２の態様では、端末デバイスで実施される方法が提供される。この方法によれば、ネットワークデバイスと端末デバイスとの間の復調参照信号（ＤＭＲＳ）送信のための第１の設定に関する第２の情報が、ネットワークデバイスから受信される。第１の設定は、送信スケジューリングに関する第２の設定に関連付けられＤＭＲＳ送信に関する第１の情報を含む。第１の情報および第２の設定の両方は、少なくとも第２の情報に基づいて決定される。
【０００８】
第３の態様では、ネットワークデバイスが提供される。ネットワークデバイスは、プロセッサと、プロセッサに接続されたメモリとを備える。メモリは、プロセッサによって実行されると、ネットワークデバイスに動作を実行させる命令を格納する。動作は、ネットワークデバイスと端末デバイスとの間の復調参照信号（ＤＭＲＳ）送信のための第１の設定を決定し、第１の設定は、ＤＭＲＳ送信に関する第１の情報を含み、第１の情報は、送信スケジューリングに関する第２の設定に関連付けられていることと、第１の設定に関する第２の情報を端末デバイスに送信することによって、第１の情報および第２の設定の両方を端末デバイスに示すことと、を備える。
【０００９】
第４の態様では、端末デバイスが提供される。端末デバイスは、プロセッサと、プロセッサに接続されたメモリとを備える。メモリは、プロセッサによって実行されると、端末デバイスに動作を実行させる命令を格納する。動作は、ネットワークデバイスから、ネットワークデバイスと端末デバイスとの間の復調参照信号（ＤＭＲＳ）送信のための第１の設定に関する第２の情報を受信し、第１の設定は、ＤＭＲＳ送信に関する第１の情報を含み、第１の情報は、送信スケジューリングに関する第２の設定に関連付けられていることと、少なくとも第２の情報に基づいて、第１の情報と第２の設定の両方を決定することと、を備える。
【００１０】
第５の態様では、命令が格納されたコンピュータ読み取り可能な媒体が提供される。命令は、少なくとも１つのプロセッサで実行されると、少なくとも１つのプロセッサに第１の態様による方法を実行させる。
【００１１】
第６の態様では、命令が格納されたコンピュータ読み取り可能な媒体が提供される。命令は、少なくとも１つのプロセッサで実行されると、少なくとも１つのプロセッサに第２の態様による方法を実行させる。
【００１２】
第７の態様では、コンピュータ読み取り可能な記憶媒体に有形に格納されたコンピュータプログラム製品が提供される。コンピュータプログラム製品は、少なくとも１つのプロセッサで実行されると、少なくとも１つのプロセッサに第１または第２の態様による方法を実行させる命令を含む。
【００１３】
本開示の他の特徴は、以下の説明を通して容易に理解可能になる。
【図面の簡単な説明】
【００１４】
添付図面における本開示のいくつかの実施形態のより詳細な説明を通じて、本開示の上記および他の目的、特徴および利点がより明らかになる。
【００１５】
【図１】本開示の実施形態を実施することができる通信環境のブロック図である。
【００１６】
【図２】本開示のいくつかの実施形態にかかるＤＭＲＳ送信のためのプロセスを示す。
【００１７】
【図３】本開示のいくつかの実施形態にかかるＤＭＲＳ設定のための例示的な方法３００のフローチャートを示す。
【００１８】
【図４Ａ】ＤＭＲＳ送信のための例示的な設定タイプを示す。
【図４Ｂ】ＤＭＲＳ送信のための例示的な設定タイプを示す。
【図４Ｃ】ＤＭＲＳ送信のための例示的な設定タイプを示す。
【図４Ｄ】ＤＭＲＳ送信のための例示的な設定タイプを示す。
【００１９】
【図５】本開示のいくつかの実施形態にかかる例示的なＤＭＲＳ設定を示す。
【００２０】
【図６】本開示のいくつかの実施形態にかかる例示的なＤＭＲＳ設定を示す。
【００２１】
【図７】本開示のいくつかの実施形態にかかる例示的なＤＭＲＳ設定を示す。
【００２２】
【図８】本開示のいくつかの実施形態にかかる例示的なＤＭＲＳ設定を示す。
【００２３】
【図９Ａ】本開示のいくつかの実施形態にかかる例示的なＤＭＲＳ設定を示す。
【図９Ｂ】本開示のいくつかの実施形態にかかる例示的なＤＭＲＳ設定を示す。
【００２４】
【図１０】本開示の実施形態の例を示す。
【００２５】
【図１１Ａ】本開示の実施形態の例を示す。
【図１１Ｂ】本開示の実施形態の例を示す。
【００２６】
【図１２】本開示の実施形態の例を示す。
【００２７】
【図１３Ａ】本開示の実施形態の例を示す。
【図１３Ｂ】本開示の実施形態の例を示す。
【００２８】
【図１４】本開示のいくつかの実施形態にかかる例示的な方法１４００のフローチャートを示す。
【００２９】
【図１５】本開示の実施形態の実施に適するデバイスの概略的なブロック図である。
【００３０】
図面全体において、同じまたは類似の参照番号は、同じまたは類似の要素を表す。
【発明を実施するための形態】
【００３１】
本開示の原理は、いくつかの例示的な実施形態を参照して説明される。これらの実施形態は、例示の目的で記載されることにすぎず、本開示の範囲に関する制限を示唆することなく、当業者が本開示を理解および実施するのを助けることを理解されたい。本明細書で説明される開示は、以下で説明されるもの以外の様々な方法で実施されることができる。
【００３２】
以下の説明および特許請求の範囲において、別途定義されない限り、本明細書で使用されるすべての技術用語および科学用語は、本開示が属する技術分野の当業者によって一般的に理解されるものと同じ意味を有する。
【００３３】
本明細書で使用されるとき、「ネットワークデバイス」または「基地局」（ＢＳ：Base Station）という用語は、端末デバイスが通信できるセルまたはカバレッジを提供またはホストできるデバイスを指す。ネットワークデバイスの例として、ノードＢ（ＮｏｄｅＢまたはＮＢ）、Ｅｖｏｌｖｅｄ  ＮｏｄｅＢ（ｅＮｏｄｅＢまたはｅＮＢ）、次世代ＮｏｄｅＢ（ｇＮＢ）、リモート無線ユニット（ＲＲＵ：Remote Radio Unit）、無線ヘッド（ＲＨ：Radio Head）、リモート無線ヘッド（ＲＲＨ：Remote Radio Head）、およびフェムトノードやピコノードなどの低電力ノードなどが挙げられるが、それらには限定されない。議論の目的のために、以下、ネットワークデバイスの例としてｇＮＢを参照していくつかの実施形態を説明する。
【００３４】
本明細書で使用されるとき、「端末デバイス」という用語は、無線または有線の通信機能を有する任意の装置を指す。端末デバイスの例として、ユーザ機器（ＵＥ：User Equipment）、パーソナルコンピュータ、デスクトップ、移動電話、セルラー電話、スマートフォン、携帯情報端末（ＰＤＡ：Personal Digital Assistant）、ポータブルコンピュータ、デジタルカメラなどの画像キャプチャデバイス、ゲームデバイス、音楽ストレージおよび再生機器、または無線や有線インターネットアクセスおよびブラウジングなどを可能にするインターネット機器が挙げられるが、それらには限定されない。議論の目的のために、以下では、端末デバイスの例としてＵＥを参照していくつかの実施形態を説明する。
【００３５】
本明細書で使用されるとき、単数形「１つ（ａ）」、「１つ（ａｎ）」、および「上記（ｔｈｅ）」は、文脈からそうでないことが明確に示されていない限り、複数形も含むことを意図している。「含む」という用語及びその変形は、「含むがこれに限定されない」ことを意味するオープンな用語として読まれる。「に基づいて」という用語は、「少なくとも部分的に基づいて」と読まれる。「一実施形態」および「実施形態」という用語は、「少なくとも一実施形態」と読まれる。「別の実施形態」という用語は、「少なくとも１つの他の実施形態」と読まれる。「第１」、「第２」などの用語は、異なるオブジェクトまたは同じオブジェクトを指す。明示的および暗黙的なその他の定義は、以下に含まれる。
【００３６】
いくつかの例では、値、手順、または装置は、「最良」、「最低」、「最高」、「最小」、「最大」などとして見なされる。このような説明は、多くの使用される機能的選択肢から選択を行うことができるのを指し、このような選択は他の選択よりもっと良く、小さく、高く、またはよくなる必要はないことを意図している。
【００３７】
本開示で説明する通信は、任意の適切な規格に準拠してもよく、ここでの規格は、新無線アクセス（ＮＲ）、ロングタームエボリューション（ＬＴＥ：Long Term Evolution）、ＬＴＥエボリューション、ＬＴＥアドバンスト（ＬＴＥ−Ａ：LTE-Advanced）、広帯域符号分割多重アクセス（ＷＣＤＭＡ：Wideband Code Division Multiple Access）、符号分割多元アクセス（ＣＤＭＡ：Code Division Multiple Access）、およびモバイル通信用グローバルシステム（ＧＳＭ：Global System for Mobile）などを含むが、これらに限定されない。さらに、通信は、現在知られている、又は将来に開発される任意の世代の通信プロトコルに従って実行されてもよい。通信プロトコルの例には、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）の通信プロトコルが含まれるが、これらに限定されない。
【００３８】
図１は、本開示の実施形態が実施され得る例示的な通信ネットワーク１００を示す。ネットワーク１００は、ネットワークデバイス１１０と、ネットワークデバイス１１０配下の３つの端末デバイス１２０−１乃至１２０−３（まとめて端末デバイス１２０というか、または個別に端末デバイス１２０という）を含む。ネットワークデバイス１１０のカバレッジは、セル１０２ともいう。基地局および端末デバイスの数は、例示の目的に過ぎず、これらに限定される意味ではないことを理解されたい。ネットワーク１００は、本開示の実施形態を実施するのに適する任意の適切な数の基地局および端末デバイスを含み得る。図示されないが、セル１０２に隣接する１つまたは複数の隣接セルが存在する場合があり、このようなセルにおいて、１つまたは複数の対応するネットワークデバイスが、いくつかの端末デバイスに対してサービスを提供することを理解されたい。
【００３９】
ネットワークデバイス１１０は、端末デバイス１２０と通信可能である。ネットワーク１００における通信は、任意の適切な規格に準拠してもよく、ここでの規格は、ロングタームエボリューション（ＬＴＥ）、ＬＴＥエボリューション、ＬＴＥアドバンスト（ＬＴＥ−Ａ）、広帯域符号分割多重アクセス（ＷＣＤＭＡ）、符号分割多元アクセス（ＣＤＭＡ）、およびモバイル通信用グローバルシステム（ＧＳＭ）など、を含むが、これらに限定されない。さらに、通信は、現在知られている、又は将来に開発される任意の世代の通信プロトコルに従って実行されてもよい。通信プロトコルの例には、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）の通信プロトコルが含まれるが、これらに限定されない。
【００４０】
通常のデータ通信に加えて、ネットワークデバイス１１０は、ダウンリンクで１つまたは複数の端末デバイス１２０にブロードキャスト、マルチキャスト、および／またはユニキャストの方式でＲＳを送ることができる。同様に、１つまたは複数の端末デバイス１２０は、アップリンクでＲＳをネットワークデバイス１１０に送信することができる。本明細書で使用されるとき、「ダウンリンク（ＤＬ）」とは、ネットワークデバイスから端末デバイスへのリンクを指し、「アップリンク（ＵＬ）」とは、端末デバイスからネットワークデバイスへのリンクを指す。ＲＳの例は、ダウンリンクまたはアップリンクの復調参照信号（ＤＭＲＳ）、チャネル状態情報参照信号（ＣＳＩ−ＲＳ：Channel State Information Reference Signal）、サウンディング参照信号（ＳＲＳ：Sounding Reference Signal）、位相追跡参照信号（ＰＴＲＳ：Phase Tracking Reference Signal）、微細な時間および周波数追跡参照信号（ＴＲＳ）などを含むことができるが、これらに限定されない。
【００４１】
例えば、ＤＬ  ＤＭＲＳ送信の場合、ＤＭＲＳは、チャネル復調のために端末デバイス１２０によって使用され得る。一般的に言えば、ＤＭＲＳは、ネットワークデバイス１１０および端末デバイス１２０の両方で得られている信号シーケンス（「ＤＭＲＳシーケンス」ともいう）である。例えば、ＤＭＲＳシーケンスは、ある規則に基づいてネットワークデバイス１１０によって生成して送信され、端末デバイス１２０により、同じ規則に基づいてＤＭＲＳシーケンスが推定されることができる。
【００４２】
ダウンリンクおよびアップリンクＤＭＲＳの送信において、ネットワークデバイス１１０は、送信のために対応するリソース（「ＤＭＲＳリソース」ともいう）を割り当て、および／またはどのＤＭＲＳシーケンスを送信するかを指定することができる。いくつかのシナリオでは、ネットワークデバイス１１０と端末デバイス１２０の両方が複数のアンテナポート（またはアンテナ素子）を備え、アンテナポート（アンテナ素子）で、指定されたＲＳシーケンスを送信することができる。複数のＤＭＲＳポートに関連付けられたＤＭＲＳリソースのセットも指定される。ＤＭＲＳポートは、ＲＳ送信のために時間、周波数、および／または符号ドメインにおいて割り当てられたリソース領域の１つまたは複数のリソースエレメント（ＲＥ）へのＤＭＲＳシーケンスの一部または全部の特定のマッピングと見なされることができる。このようなリソース割り当て情報および他の必要な情報は、ＤＭＲＳの送信の前に端末デバイス１２０に対して示されることができる。例えば、ＤＭＲＳ設定は、上位レイヤのシグナリング（無線リソース制御（ＲＲＣ：Radio Resource Control）、および／またはメディアアクセス制御（ＭＡＣ：Media Access Control）制御要素（ＣＥ：Control Element）、および／または動的シグナリング（ダウンリンク制御情報（ＤＣＩ：Downlink Control Information）など）を介して端末デバイスに送信されてもよい。
【００４３】
ＮＲにおいて、異なるＤＭＲＳポートは、時間および／または周波数領域における符号分割多重化（ＣＤＭ）技術、および／または周波数分割多重化（ＦＤＭ）技術に基づいて多重化されことができる。例えば、ＣＤＭ技術に基づいて多重化されたＤＭＲＳポートのグループは、「ＣＤＭグループ」とも呼ばれる。さらに、前方ＤＭＲＳは高速復号をサポートし、前方ＤＭＲＳに加えて追加のＤＭＲＳが高速／高ドップラーシナリオをサポートする。ＯＦＤＭベースのシステムでは、物理アップリンク共有チャネル（ＰＵＳＣＨ）の前方ＤＭＲＳの第１の位置の箇所について、スケジュールされたデータに関する１番目のＯＦＤＭシンボルに前方アップリンクＤＭＲＳの１番目のシンボルが含まれることが合意されている。また、スロットの３番目または４番目のシンボルには、前方ＤＭＲＳの１番目のシンボルが含まれることも合意されている。ただし、ＤＭＲＳ設定の詳細はまだ設計されていない。さまざまなケースを考慮して、設定の柔軟性とシグナリングオーバーヘッドのバランスをとるために、ＤＭＲＳ設定案を検討する必要がある。
【００４４】
上記の問題および１つまたは複数の他の潜在的な問題を解決するために、ＤＭＲＳ設定の解決策は、本開示の例示的な実施形態に従って提供される。この解決策では、ＤＭＲＳ設定の柔軟性は、ＤＭＲＳ設定を示すためのシグナリングオーバーヘッドとのバランスを取ることができる。
【００４５】
以下、図２乃至１５を参照しながら本開示の原理および実施について詳細に説明する。ここで、図２は、本開示のいくつかの実施形態にかかるＤＭＲＳ送信のための２つのプロセス２１０および２２０を示す。議論の目的のために、図１を参照してプロセス２１０および２２０を説明する。プロセス２１０および２２０には、ネットワークデバイス１１０と、ネットワークデバイス１１０配下の１つまたは複数の端末デバイス１２０が関与される。
【００４６】
図２に示すように、プロセス２１０は、ＤＬ  ＤＭＲＳ送信の場合に向けられる。一実施形態では、ネットワークデバイス１１０は、ＤＭＲＳ設定を端末デバイス１２０に示すことができる（２１１）。ネットワークデバイス１２０は、ＲＳ設定に基づいてＤＭＲＳを送信することができる（２１２）。端末デバイス１２０は、ネットワークデバイス１１０からＤＭＲＳ設定を受信し、受信したＤＭＲＳ設定に基づいてＤＭＲＳを検出することができる。プロセス２２０は、ＵＬ  ＤＭＲＳ送信の場合に向けられる。別の実施形態では、ネットワークデバイス１１０は、ＤＭＲＳ設定を端末デバイス１２０に示すことができる（２２１）。端末デバイス１２０は、ネットワークデバイス１１０からＲＳ設定を受信し、受信したＤＭＲＳ設定に基づいてＤＭＲＳを送信することができる（２２２）。ネットワークデバイス１１０は、ＤＭＲＳ設定に基づいてＤＭＲＳを検出することができる。
【００４７】
図３は、本開示のいくつかの実施形態にかかるＤＭＲＳ設定のための例示的な方法３００のフローチャートを示す。方法３００は、図１に示すネットワークデバイス１１０で実施されることができる。議論の目的のために、図１を参照してネットワークデバイス１１０の観点から方法３００を説明する。
【００４８】
動作３１０において、ネットワークデバイス１１０は、ＤＭＲＳ送信のための第１の設定を決定する。いくつかの実施形態では、第１の設定は、ＤＭＲＳ送信に関する第１の情報を含むことができる。第１の情報は、送信スケジューリングに関する第２の設定に関連付けられることができる。動作３２０において、ネットワークデバイス１１０は、第１の設定に関する第２の情報を端末デバイス１２０に送信することによって、第１の情報および第２の設定の両方を端末デバイス１２０に示す。本開示のいくつかの実施形態をさらに詳細に説明すると、以下の通りである。
【００４９】
いくつかの実施形態では、例えば、第１の情報は、以下のうちの少なくとも１つを示すことができ、即ち、１つまたは複数のＤＭＲＳポート、ＤＭＲＳシーケンスのスクランブリング識別（ＩＤ）、ＤＭＲＳ送信レイヤの数、ＤＭＲＳ送信に使用されるＤＭＲＳ設定パターン、および前方ＤＭＲＳのシンボルの最大数である。第２の設定は、以下のうちの少なくとも１つを示すことができ、即ち、レートマッチングのためのＣＤＭグループの有無、シングルユーザスケジューリング、マルチユーザスケジューリング、シングルユーザ及びマルチユーザスケジューリング、シングルパネルスケジューリング、マルチパネルスケジューリング、単一送受信ポイント（単一ＴＲＰ）スケジューリング、およびマルチ送受信ポイント（マルチＴＲＰ）スケジューリングである。以下の説明では、第２の設定は、第１の情報に関連付けられる「仮定」（assumption）または「追加の指示」（additional indication）と呼ばれることもある。
【００５０】
いくつかの実施形態では、例えば、ネットワークデバイス１１０は、ネットワークデバイス１１０と異なる端末デバイスとの間のＤＭＲＳ送信のための複数の可能な設定を含むＤＭＲＳ設定テーブルを決定することができる。第１の設定は、ＤＭＲＳ設定テーブルから端末デバイス１２０に割り当てられることができる。例えば、ＤＭＲＳ設定テーブルにおける第１の設定のインデックスを、（ＤＣＩなどで）端末デバイス１２０に指示することができる。ＤＭＲＳ設定を指示するためのシグナリングオーバーヘッドを削減するために、ＤＭＲＳ設定テーブルのサイズを削減する必要があることが認識される。
【００５１】
いくつかの実施形態では、ＤＭＲＳ設定テーブルにおける複数の可能な設定のそれぞれは、以下のうちの少なくとも１つを示すことができ、即ち、１つまたは複数のＤＭＲＳポート、ＤＭＲＳシーケンスのスクランブリングＩＤ、ＤＭＲＳ送信レイヤの数、ＤＭＲＳ送信に使用されるＤＭＲＳ設定パターン、前方ＤＭＲＳシンボルの数、レートマッチングのためのＣＤＭグループの有無、シングルユーザスケジューリング、マルチユーザスケジューリング、シングルユーザ及びマルチユーザスケジューリング、シングルパネルスケジューリング、マルチパネルスケジューリング、シングルＴＲＰスケジューリングおよびマルチＴＲＰスケジューリングである。
【００５２】
上述のように、ＤＭＲＳポートは、１つのＣＤＭグループに属し、１つのＲＢ内のいくつかのＲＥを占有することができる。例えば、３ＧＰＰ規格の動作で合意されているように、ＤＭＲＳには２つのタイプ（設定パターン）がある。ＤＭＲＳタイプ１の場合、１つまたは２つのシンボルをサポートできる。図４Ａに示すように、１つのシンボルに関連付けられたＤＭＲＳタイプ１の場合、最大４つのＤＭＲＳポート（ＤＭＲＳポートＡ〜Ｄで表される）をサポートできる。図４Ｂに示すように、２つのシンボルに関連付けられたＤＭＲＳタイプ１の場合、最大８つのＤＭＲＳポート（ＤＭＲＳポートＡ〜Ｈで表される）をサポートできる。例えば、ＤＭＲＳタイプ１の場合、２つのＣＤＭグループが存在する可能性がある。１つのＣＤＭグループは、１つのＲＢ内で偶数のＲＥ、例えば、ＲＥのインデックスが０から始まるＲＥ０、２、４、６、８、１０を占有することができる。他のＣＤＭグループは、ＲＢ内の奇数のＲＥ、例えば、ＲＥのインデックスが０から始まるＲＥ１、３、５、７、９、１１を占有することができる。ＤＭＲＳタイプ２の場合、１つまたは２つのシンボルをサポートできる。図４Ｃに示すように、１つのシンボルに関連付けられたＤＭＲＳタイプ２の場合、最大６つのＤＭＲＳポート（ＤＭＲＳポートＡ〜Ｆで表される）をサポートできる。図４Ｄに示すように、２つのシンボルに関連付けられたＤＭＲＳタイプ２の場合、最大１２のＤＭＲＳポート（ＤＭＲＳポートＡ〜Ｌで表される）をサポートできる。例えば、ＤＭＲＳタイプ２の場合、３つのＣＤＭグループが存在する可能性がある。ＲＥのインデックスは０から始まると、１つのＣＤＭグループがＲＥ０、１、６、７を占有し、１つのＣＤＭグループがＲＥ２、３、８、９を占有し、そして、１つのＣＤＭグループがＲＥ４、５、１０、１１を占有することができる。図４Ａ〜４Ｄに示すように、異なる塗りつぶしパターンは異なるＣＤＭグループを表す。
【００５３】
いくつかの実施形態では、ＤＭＲＳ設定テーブルにおいて、同じ数のＤＭＲＳ送信レイヤに関連付けられるいくつかの設定があってもよい。ただし、これらの設定はそれぞれ異なる仮定に関連付けられている場合がある。いくつかの実施形態では、上述のように、仮定は、以下の少なくとも１つを含むことができ、即ち、レートマッチングのためのＣＤＭグループの有無、シングルユーザスケジューリング、マルチユーザスケジューリング、シングルユーザ及びマルチユーザスケジューリング、シングルパネルスケジューリング、マルチパネルスケジューリング、シングル送受信ポイント（シングルＴＲＰ）スケジューリング、およびマルチ送受信ポイント（マルチＴＲＰ）スケジューリングである。
【００５４】
いくつかの実施形態では、ダウンリンクおよび／またはアップリンクのスケジューリングについて、スケジューリングは、非スロットベースおよび／またはスロットベースの送信であってもよい。ネットワークデバイス１１０は、ＤＭＲＳ設定テーブルから１つのＤＭＲＳ設定を端末デバイス１２０に指示することができる。例えば、端末デバイス１２０は、指示されたＤＭＲＳ設定から、ＤＭＲＳポートの数、前方ＤＭＲＳシンボルの数、および指示されたＤＭＲＳポートのためのＣＤＭグループを取得することができる。端末デバイス１２０のために設定されない１つまたは２つのＣＤＭグループが存在する可能性がある。１つまたは２つのＣＤＭグループの有無の仮定は、指示されたＤＭＲＳ設定に関連付けられることができる。
【００５５】
いくつかの実施形態では、端末デバイス１２０に指示されるＤＭＲＳ設定は、ＣＤＭグループの存在の仮定に関連付けられてもよい。本明細書で使用されるように、ＣＤＭグループの存在は、例えば、ＣＤＭグループが、ＰＤＳＣＨおよび／またはＰＵＳＣＨ送信などのために、他の端末デバイスに設定されていることを示してもよい。したがって、端末デバイス１２０には、ＣＤＭグループのＲＥについてのレートマッチングが必要である。例えば、ＣＤＭグループによって占有されているこれらのＲＥは、ＰＤＳＣＨおよび／またはＰＵＳＣＨ送信のために端末デバイス１２０に使用されない可能性がある。他のいくつかの実施形態では、端末デバイス１２０に指示されるＤＭＲＳ設定は、ＣＤＭグループが存在しないという仮定に関連付けられてもよい。本明細書で使用されるように、ＣＤＭグループが存在しないことは、例えば、ＣＤＭグループが、ＰＤＳＣＨおよび／またはＰＵＳＣＨ送信などのために他の端末デバイスに設定されていないことを示してもよい。したがって、端末デバイス１２０には、ＣＤＭグループのＲＥについてのレートマッチングが必要ではない。例えば、ＣＤＭグループによって占有されているこれらのＲＥは、ＰＤＳＣＨおよび／またはＰＵＳＣＨ送信のために端末デバイス１２０に使用されることができる。別の例として、ＣＤＭグループによって占有されているこれらのＲＥは、ＰＤＳＣＨおよび／またはＰＵＳＣＨのために端末デバイス１２０によって使用されず、端末デバイス１２０によるデータ送信のために設定されたＤＭＲＳポートの電力は、例えば、３ｄＢまたは６ｄＢで上げられてもよい。ＣＤＭグループが存在する、又はＣＤＭグループが存在しない例は、本開示に対していかなる制限・示唆をすることなく、例示の目的のみであることを理解されたい。本開示では、ＣＤＭグループについてのレートマッチングは、ＣＤＭグループの存在の例として示されているが、ＣＤＭグループについてのレートマッチングは、ＣＤＭグループが存在しない例として示されていない。
【００５６】
いくつかの実施形態では、ＤＭＲＳ設定テーブルにおける第１の設定の数は、１つの仮定に関連付けられてもよく、一方、ＤＭＲＳ設定テーブルにおける第２の設定の数は、別の仮定に関連付けられてもよい。第１の設定の数および第２の設定の数は、同じ数のＤＭＲＳ送信レイヤ、同じ数のＤＭＲＳポート用のＣＤＭグループ、同じ数のＤＭＲＳシンボルまたは同じＤＭＲＳ設定パターンのうちの少なくとも１つに関連付けられてもよい。そして、第１の数は、第２の数より小さくてもよい。例えば、シングルユーザスケジューリングの仮定に関連付けられる設定の数は、マルチユーザスケジューリングの仮定に関連付けられる設定の数より小さくてもよい。例えば、マルチＴＲＰ／マルチパネルスケジューリングに関連付けられる第１の設定の数は、シングルＴＲＰ／シングルパネルスケジューリングに関連付けられる設定の数より小さくてもよい。例えば、レートマッチングのための別のＣＤＭグループが存在しない（つまり、他のＣＤＭグループについてレートマッチングされない）という仮定に関連付けられる設定の数は、レートマッチングのための別のＣＤＭグループが存在するという他の仮定に関連付けられる設定の数より小さくてもよい。図５は、このような実施形態の例を示す。具体的には、図５は、１つのＤＭＲＳ送信レイヤのみに関連付けられるいくつかの設定例を示す。図５において、シングルユーザスケジューリングの仮定に関連付けられる設定の数は２であり、シングルユーザスケジューリングの仮定に関連付けられる設定の数は４であることが分かる。図５に示す例は、本開示に対していかなる制限・示唆をすることなく、例示の目的のみである。本開示の実施形態は、異なる数のＤＭＲＳ送信レイヤ、異なる数のＤＭＲＳシンボル、および／または異なるＤＭＲＳ設定パターンに関連付けられる他の設定にも適用可能である。
【００５７】
いくつかの実施形態では、ＤＭＲＳタイプ１の場合、ＤＭＲＳシンボルの数は２であり、ＤＭＲＳ送信レイヤの数は１であってもよい。レートマッチングのための別のＣＤＭグループが存在しないことに関連付けられるＤＭＲＳ設定は、ポートＡ、ポートＢ、ポートＥ、およびポートＦのうちの一つに関してもよい。レートマッチングのための別のＣＤＭグループの存在に関連付けられるＤＭＲＳ設定は、ポートＡ、ポートＢ、ポートＣ、ポートＤ、ポートＥ、ポートＦ、ポートＧ、およびポートＨのうちの一つに関してもよい。
【００５８】
いくつかの実施形態では、ＤＭＲＳタイプ１の場合、ＤＭＲＳ送信レイヤの数は２であってもよい。レートマッチングのための別のＣＤＭグループが存在しないことに関連付けられる設定は、ポートＡ／ＢおよびポートＥ／Ｆのうちの１つに関してもよい。レートマッチングのための別のＣＤＭグループの存在に関連付けられる設定は、ポートＡ／Ｂ、ポートＣ／Ｄ、ポートＥ／Ｆ、およびポートＧ／Ｈのうちの１つに関してもよい。いくつかの実施形態では、ＤＭＲＳタイプ１の場合、ＤＭＲＳ送信レイヤの数は３であってもよい。レートマッチングのための別のＣＤＭグループが存在しないことに関連付けられる設定は、ポートＡ／Ｂ／Ｅに関してもよい。レートマッチングのための別のＣＤＭグループの存在に関連付けられる設定は、ポートＡ／Ｂ／ＥおよびポートＣ／Ｄ／Ｇのうちの１つに関してもよい。いくつかの実施形態では、ＤＭＲＳタイプ１の場合、ＤＭＲＳレイヤの数は４であってもよい。レートマッチングのための別のＣＤＭグループが存在しないことに関連付けられる設定は、ポートＡ／Ｂ／Ｅ／Ｆに関してもよい。レートマッチングのための別のＣＤＭグループの存在に関連付けられる設定は、ポートＡ／Ｂ／Ｅ／ＦおよびポートＣ／Ｄ／Ｇ／Ｈのうちの１つに関してもよい。いくつかの実施形態では、ＤＭＲＳタイプ１の場合、ＤＭＲＳレイヤの数は４より大きくてもよい。この場合、設定についてレートマッチングのための別のＣＤＭグループの有無に関する仮定がなくてもよい。
【００５９】
いくつかの実施形態では、レートマッチングのための別のＣＤＭグループの存在の仮定は、特定の数のＤＭＲＳポート、特定の数のＣＤＭグループおよび／または特定の数の前方ＤＭＲＳシンボルに関連付けられる設定にのみ利用可能であってもよい。例えば、ＤＭＲＳタイプ１の場合、前方ＤＭＲＳシンボルの数が１であると、１つまたは２つのＤＭＲＳポートを有する設定、および／または１つのＣＤＭグループからのＤＭＲＳポートを有する設定のみが、レートマッチングのための別のＣＤＭグループの存在の仮定に関連付けられてもよい。例えば、３つまたは４つのＤＭＲＳポートを有する設定の場合、別のＣＤＭグループについてレートマッチングされる仮定がなくてもよい。例えば、ＤＭＲＳタイプ１の場合、前方ＤＭＲＳシンボルの数が２であると、１、２、３、または４つのＤＭＲＳポートを有する設定、および／または１つのＣＤＭグループからのＤＭＲＳポートを有する設定のみが、レートマッチングのための別のＣＤＭグループの存在の仮定に関連付けられてもよい。例えば、４つを超えるＤＭＲＳポートに関連付けられている設定の場合、別のＣＤＭグループについてレートマッチングされる仮定がなくてもよい。例えば、２つ、３つ、または４つのＤＭＲＳポートに関連付けられている設定の場合、これらのＤＭＲＳポートは異なるＣＤＭグループからのものであるが、別のＣＤＭグループについてレートマッチングされる仮定がなくてもよい。
【００６０】
いくつかの実施形態では、ダウンリンクまたはアップリンク送信の場合、ＤＭＲＳポートの最大数、符号語の最大数、および／またはＣＤＭグループの最大数は、端末デバイスに設定されてもよい。いくつかの実施形態では、マルチＴＲＰ／マルチパネルスケジューリングの設定は、最大数のＤＭＲＳポートのサブセット、最大数の符号語のサブセット、および／または端末デバイスに指示された最大数のＣＤＭグループのサブセットに関連付けられてもよい。一実施形態では、マルチＴＲＰ／マルチパネルスケジューリングの設定は、端末デバイスに対して設定されたＸを超えるＤＭＲＳポートにのみ関連付けられてもよく、ここで、Ｘは整数である。例えば、Ｘは１、２、または４のいずれかであってもよい。一実施形態では、マルチＴＲＰ／マルチパネルスケジューリングは、設定におけるＤＭＲＳポートがＹを超えるＣＤＭグループからのものである場合にのみ利用可能であってもよく、ここで、Ｙは整数である。例えば、Ｙは１である。例えば、ＤＭＲＳタイプ１および／またはタイプ２の場合、マルチＴＲＰ／マルチパネルスケジューリングは、設定におけるＤＭＲＳポートが２つのＣＤＭグループからのものである場合にのみ利用可能であってもよい。例えば、ＤＭＲＳ設定タイプ２の場合、マルチＴＲＰ／マルチパネルスケジューリングは、設定におけるＤＭＲＳポートが２つまたは３つのＣＤＭグループからのものである場合にのみ利用可能であってもよい。一実施形態では、マルチＴＲＰ／マルチパネルスケジューリングの設定は、端末デバイスに対して設定されたＺを超える符号語にのみ関連付けられてもよく、ここで、Ｚは整数である。例えば、Ｚは１である。例えば、ＤＭＲＳタイプ１および／またはタイプ２の場合、マルチＴＲＰ／マルチパネルスケジューリングの設定は、端末デバイスに対して設定された符号語の数が２である場合にのみ利用可能であってもよい。
【００６１】
いくつかの実施形態では、ＤＭＲＳ設定テーブル内の異なる設定について、レートマッチングのためのＣＤＭグループの有無に関する仮定は異なってもよい。例えば、ＤＭＲＳ設定テーブルにおける一部の設定が、ＣＤＭグループについてレートマッチングされないという仮定に関連付けられている場合、１つのＣＤＭグループ内のマルチユーザスケジューリングが有効でない可能性があるため、これらの設定は暗黙的にシングルユーザスケジューリングを示す可能性がある。
【００６２】
いくつかの実施形態では、ＤＭＲＳ設定テーブルにおいて、所定の数のＤＭＲＳレイヤ、所定の数の前方ＤＭＲＳシンボルおよび所定のＤＭＲＳタイプを有する設定について、設定におけるＤＭＲＳポートが１つまたは２つのＣＤＭグループからのものである場合、一部のＣＤＭグループからのＤＭＲＳポートを有する設定の数は、他のＣＤＭグループからのＤＭＲＳポートを有する設定の数より大きくてもよい。
【００６３】
いくつかの実施形態では、ＤＭＲＳ設定テーブルにおいて、所定の数のＤＭＲＳレイヤ、所定の数の前方ＤＭＲＳシンボルおよび所定のＤＭＲＳタイプを有する設定について、設定に関連付けられたＤＭＲＳポートが同じＣＤＭグループからのものである場合、これらの設定に関連付けられる２つの異なる仮定があってもよい。１つ目は、レートマッチングのための別のＣＤＭグループの存在の仮定であり、２つ目は、他のＣＤＭグループについてレートマッチングされないという仮定である。いくつかの実施形態では、第１の仮定を有する設定の数は、第２の仮定を有する設定の数より大きくてもよい。
【００６４】
いくつかの実施形態では、端末デバイスに利用可能なＤＭＲＳ設定テーブルからの設定のサブセットのみがあってもよい。
【００６５】
いくつかの実施形態では、ダウンリンクおよび／またはアップリンクのスケジューリングについて、スケジューリングは非スロットベースおよび／またはスロットベースの送信であってもよい。ネットワークデバイス１１０は、ＤＭＲＳ設定テーブルから１つのＤＭＲＳ設定を端末デバイス１２０に指示してもよい。例えば、端末デバイス１２０は、指示されたＤＭＲＳ設定から、ＤＭＲＳポートの数、前方ＤＭＲＳシンボルの数、および指示されたＤＭＲＳポートのためのＣＤＭグループを取得することができる。端末デバイス１２０に設定された同じＣＤＭグループ内に、ＰＤＳＣＨおよび／またはＰＵＳＣＨ送信のために端末デバイス１２０に設定されないいくつかのＤＭＲＳポートがあってよい。これらのＤＭＲＳポートの有無の仮定は、指示されたＤＭＲＳ設定に関連付けられることができる。
【００６６】
いくつかの実施形態では、ＤＭＲＳ設定は、ＰＤＳＣＨおよび／またはＰＵＳＣＨ送信のために、ＣＤＭグループからＤＭＲＳポートの第１のサブセットを端末デバイス１２０に指示してもよい。同じＣＤＭグループ内の他のＤＭＲＳポート（例えば、ＤＭＲＳポートの第２のサブセット）について、端末デバイス１２０は、レートマッチングのためにそれらが存在すると想定することができる。この場合、例えば、端末デバイス１２０のためのＰＤＳＣＨおよび／またはＰＵＳＣＨに関するＤＭＲＳの電力オフセットは、Ｐ１であると想定することができる。代替的または追加的に、いくつかの他の実施形態では、同じＣＤＭグループ内のＤＭＲＳポートの第２のサブセットについて、端末デバイス１２０は、レートマッチングのためにそれらが存在しないと想定することができる。この場合、例えば、端末デバイス１２０のためのＰＤＳＣＨおよび／またはＰＵＳＣＨに関するＤＭＲＳの電力オフセットは、Ｐ２であると想定することができる。一実施形態では、例えば、Ｐ２≧Ｐ１である。いくつかの実施形態では、レートマッチングのために同じＣＤＭグループからのＤＭＲＳポートが存在すると想定する設定の数は、レートマッチングのために同じＣＤＭグループからのＤＭＲＳポートが存在しないことと想定する設定の数より大きくてもよい。
【００６７】
いくつかの実施形態では、上記のＤＭＲＳタイプ１の場合、グループ０およびグループ１のような２つのＣＤＭグループが存在してもよい。例えば、１つのシンボルに関連付けられたＤＭＲＳタイプ１の場合、グループ０はＤＭＲＳポートＡおよび／またはＢを含み、グループ１はＤＭＲＳポートＣおよび／またはＤを含んでもよい。２つのシンボルに関連付けられたＤＭＲＳタイプ１の場合、グループ０はＤＭＲＳポートＡ、Ｂ、Ｅおよび／またはＦを含み、グループ１はＤＭＲＳポートＣ、Ｄ、Ｇおよび／またはＨを含んでもよい。一実施形態では、グループ０からのＤＭＲＳポートに関連付けられた設定である場合、レートマッチングのためのグループ１の有無に関する追加の指示が設定に含まれるべきである。一実施形態では、グループ１からのＤＭＲＳポートに関連付けられた設定の場合、レートマッチングのためにグループ０が存在すると想定することができる。例えば、データはＣＤＭグループ０のＲＥで送信できない。つまり、グループ１からのＤＭＲＳポートがＤＭＲＳ送信のためにスケジュールされている場合、レートマッチングのためにグループ０が存在すると想定できる。特に、いくつかの実施形態では、同じ数のＤＭＲＳ送信レイヤ、同じ数の前方ＤＭＲＳシンボルおよび／または同じ数の、ＤＭＲＳポートのＣＤＭグループに関連付けられたいくつかの設定のうち、グループ０に関連付けられた設定の数は、グループ１に関連付けられた設定の数より大きくてもよい。図６は、このような実施形態の例を示す。具体的には、図６は、１つのシンボルに関連付けられたＤＭＲＳタイプ１のいくつかの設定例を示す。図６において、グループ０（例えば、ＤＭＲＳポートＡまたはＢ）に関連付けられた設定の数は４であり、グループ１（例えば、ＤＭＲＳポートＣまたはＤ）に関連付けられた設定の数は２であることがわかる。図６に示すようなＣＤＭグループ０および１、ならびにＤＭＲＳポートＡ、Ｂ、ＣおよびＤに関する例は、本開示に対していかなる制限・示唆をすることなく、例示の目的のみであることを理解されたい。例えば、ＣＤＭグループ０および１は、それぞれ、同じＣＤＭグループからのＤＭＲＳポートの例にすぎず、１つのＣＤＭグループ内のＤＭＲＳポートは、タイプ１の８つの直交するＤＭＲＳポートのいずれかであってもよい。ＤＭＲＳポートＡ、Ｂ、ＣまたはＤは、タイプ１の８つの直交するＤＭＲＳポート（例えば、ＤＭＲＳポートＡ、Ｂ、Ｃ、Ｄ、Ｅ、Ｆ、Ｇ、Ｈを含む）のいずれかであってもよい。
【００６８】
いくつかの実施形態では、ＣＤＭグループのうちの１つは、レートマッチングのために常に存在するまたは存在しないと想定されてもよい。一実施形態では、端末デバイス１２０は、１組のＤＭＲＳポートまたは２つのＣＤＭグループのうちの少なくとも１つで設定されてもよい。例えば、端末デバイス１２０は、｛Ａ、Ｂ、Ｅ、Ｆ｝からのＤＭＲＳポート、またはグループ０で設定されてもよい。この場合、グループ１は、レートマッチングのために常に存在するまたは存在しないと想定されることができる。例えば、ＤＭＲＳ指示テーブルにおけるすべての設定について、グループ１について、レートマッチングをするために存在するか否かのどれらか１つの仮定のみが想定されてもよい。例えば、端末デバイス１２０には、｛Ｃ、Ｄ、Ｇ、Ｈ｝からのＤＭＲＳポートが設定されてもよく、またはＵＬ送信のためにグループ１が設定されてもよい。この場合、グループ１は、ＤＬ送信にはレートマッチングのために存在すると想定されることができる。したがって、ＤＭＲＳ設定テーブルに含まれる設定の合計数を減らすことができ、これによって、それらの１つを示すためのシグナリングオーバーヘッドを減らすことができる。
【００６９】
いくつかの実施形態では、ＤＭＲＳタイプ１について、２つのＣＤＭグループの両方が１つの端末デバイスに利用可能である場合、ＤＭＲＳ設定テーブルにおける第１の設定の数は、第１の仮定に関連付けられてもよく、ＤＭＲＳ設定テーブルにおける第２の設定の数は、第１の仮定とは異なり得る第２の仮定に関連付けられてもよい。一実施形態では、第１の仮定に関するＣＤＭグループの数は、第２の仮定に関するＣＤＭグループの数より小さくてもよい。
【００７０】
いくつかの実施形態では、上記のＤＭＲＳタイプ２の場合、グループ０、グループ１、およびグループ２のような３つのＣＤＭグループが存在してもよい。例えば、１つのシンボルに関連付けられたＤＭＲＳタイプ２の場合、グループ０はＤＭＲＳポートＡおよび／またはＢを含み、グループ１はＤＭＲＳポートＣおよび／またはＤを含み、グループ２はＤＭＲＳポートＥおよび／またはＦを含んでもよい。２つのシンボルに関連付けられたＤＭＲＳタイプ２の場合、グループ０はＤＭＲＳポートＡ、Ｂ、Ｇおよび／またはＨを含み、グループ１はＤＭＲＳポートＣ、Ｄ、Ｉおよび／またはＪを含み、グループ２はＤＭＲＳポートＥ、Ｆ、Ｋおよび／またはＬを含んでもよい。
【００７１】
いくつかの実施形態では、ＤＭＲＳタイプ２について、３つのＣＤＭグループのすべてが１つの端末デバイスに利用可能である場合、ＤＭＲＳ設定テーブル内の第１の設定の数は、第１の仮定に関連付けられ、ＤＭＲＳ設定テーブル内の第２の設定の数は、第２の仮定に関連付けられ、ＤＭＲＳ設定テーブル内の第３の設定の数は、第３の仮定に関連付けられてもよく、ここで、第１、第２、および第３の仮定は、互いに少なくとも一部が異なる。一実施形態では、第１の仮定に関するＣＤＭグループの数は、第２の仮定に関するＣＤＭグループの数より小さくてもよく、および／または第２の仮定に関するＣＤＭグループの数は、第３の仮定に関するＣＤＭグループの数より小さくてもよい。
【００７２】
いくつかの実施形態では、ＤＭＲＳタイプ１の場合、ＤＭＲＳ設定テーブル内の設定は、所定の数のＤＭＲＳレイヤおよび／または所定の数の前方ＤＭＲＳシンボルに関連付けられてもよい。特定の設定のためのＤＭＲＳポートが１つのＣＤＭグループからのものである場合、ＣＤＭグループ０からのＤＭＲＳポートに関連付けられている設定の数は、ＣＤＭグループ１からのＤＭＲＳポートに関連付けられている設定の数より大きくてもよい。
【００７３】
いくつかの実施形態では、ＤＭＲＳタイプ１について、１つの端末デバイスに利用可能なＣＤＭグループが１つだけある場合、端末デバイスへの利用可能なＤＭＲＳ設定は、１つの仮定のみに関連付けられてもよい。例えば、唯一の仮定は、レートマッチングするための他のＣＤＭグループが存在するか否かのどれらかであってもよい。
【００７４】
いくつかの実施形態では、ＤＭＲＳタイプ１の場合、ＤＭＲＳ設定テーブル内の設定は、所定の数のＤＭＲＳレイヤおよび／または所定の数の前方ＤＭＲＳシンボルに関連付けられてもよい。特定の設定のためのＤＭＲＳポートが１つのＣＤＭグループからのものである場合、別のＣＤＭグループについてレートマッチングされないという仮定に関連付けられた設定の数は、レートマッチングのために別のＣＤＭグループが存在する仮定に関連付けられた設定の数より小さくてもよい。
【００７５】
いくつかの実施形態では、ＤＭＲＳタイプ１の場合、ＤＭＲＳ設定テーブル内の設定は、所定の数のＤＭＲＳレイヤおよび／または所定の数の前方ＤＭＲＳシンボルに関連付けられてもよい。特定の設定のためのＤＭＲＳポートが１つのＣＤＭグループからのものである場合、別のＣＤＭグループについてレートマッチングされないと想定する設定では、これらの設定に関連付けられたＤＭＲＳポートは同じＣＤＭグループからのものであってもよい。例えば、唯一のＣＤＭグループはグループ０またはグループ１のいずれかであってもよい。レートマッチングのために別のＣＤＭグループが存在すると想定する設定では、これらの設定の一部に関連付けられたＤＭＲＳポートは、ＣＤＭグループ０からのものであり、これらの設定の他部に関連付けられたＤＭＲＳポートは、ＣＤＭグループ１からのものであってもよい。つまり、２つのＣＤＭグループの両方が利用可能である。
【００７６】
いくつかの実施形態では、ＤＭＲＳタイプ１について、設定が別のＣＤＭグループについてレートマッチングされないという仮定に関連付けられる場合、これらの設定のためのＤＭＲＳポートは同じＣＤＭグループからのものであってもよい。いくつかの実施形態では、ＤＭＲＳポートがグループ０またはグループ１からのものであるかどうかは、パラメータによって暗黙的に示されてもよい。例えば、パラメータは、セルＩＤ、仮想セルＩＤ、スクランブリングＩＤなどの少なくとも１つであってもよい。例えば、パラメータの一部の値は、ＤＭＲＳポートがグループ０からのものであることを暗黙的に示し、他のパラメータの値は、ＤＭＲＳポートがグループ１からのものであることを暗黙的に示してもよい。例えば、パラメータの偶数及び奇数の値は、それぞれ異なるグループを暗黙的に示すことができる。
【００７７】
いくつかの実施形態では、ＤＭＲＳタイプ２について、グループ０、グループ１およびグループ２のような３つのＣＤＭグループが存在してもよい。一実施形態では、グループ０からのＤＭＲＳポートに関連付けられた設定について、レートマッチングのためのグループ１及びグループ２の有無に関する追加の指示が設定に含まれるべきである。一実施形態では、グループ１からのＤＭＲＳポートに関連付けられた設定の場合、レートマッチングのためにグループ０が存在すると想定することができる。さらに、レートマッチングのためのグループ２の有無に関する追加の指示が設定に含まれるべきである。一実施形態では、グループ２からのＤＭＲＳポートに関連付けられた設定の場合、レートマッチングのためにグループ１およびグループ０が存在すると想定することができる。言い換えれば、グループ２からのＤＭＲＳポートがＤＭＲＳ送信のためにスケジュールされている場合、レートマッチングのためにグループ１及びグループ０が存在すると見なされることができる。特に、いくつかの実施形態では、同じ数のＤＭＲＳ送信レイヤに関連付けられたいくつかの設定のうち、グループ０に関連付けられた設定の数は、グループ１および／またはグループ２に関連付けられた設定の数より大きく、および／またはグループ１に関連付けられた設定の数は、グループ２に関連付けられた設定の数より大きくてもよい。図７は、このような実施形態の例を示す。具体的には、図７は、１つのシンボルに関連付けられたＤＭＲＳタイプ２のいくつかの設定例を示す。図７において、グループ０（例えば、ＤＭＲＳポートＡまたはＢ）に関連付けられた設定の数は６であり、グループ１（例えば、ＤＭＲＳポートＣまたはＤ）に関連付けられた設定の数は４であり、グループ２（例えば、ＤＭＲＳポートＥまたはＦ）に関連付けられた設定の数は４であることがわかる。図７に示すＣＤＭグループ０、１、２およびＤＭＲＳポートＡ、Ｂ、Ｃ、Ｄ、ＥおよびＦに関する例は、本開示に対していかなる制限・示唆をすることなく、例示の目的のみであることを理解されたい。例えば、ＣＤＭグループ０、１、２はそれぞれ、同じＣＤＭグループからのＤＭＲＳポートの例にすぎず、１つのＣＤＭグループ内のＤＭＲＳポートは、タイプ２の１２つの直交するＤＭＲＳポートのいずれかであってもよい。ＤＭＲＳポートＡ、Ｂ、Ｃ、Ｄ、Ｅ、またはＦは、タイプ２の１２つの直交するＤＭＲＳポートのいずれかであってもよい（例えば、ＤＭＲＳポートＡ、Ｂ、Ｃ、Ｄ、Ｅ、Ｆ、Ｇ、Ｈ、Ｉ、Ｊ、Ｋ、およびＬを含む）。
【００７８】
いくつかの実施形態では、ＣＤＭグループのうちの一部は、レートマッチングのために常に存在するまたは存在しないと想定されてもよい。一実施形態では、端末デバイス１２０は、１組のＤＭＲＳポートまたは３つのＣＤＭグループのうちの少なくとも１つで設定されてもよい。例えば、端末デバイス１２０は、｛Ａ、Ｂ、Ｃ、Ｄ、Ｇ、Ｈ、Ｉ、Ｊ｝からのＤＭＲＳポート、またはグループ０および１で設定されてもよい。この場合、グループ２は、レートマッチングのために常に存在するまたは存在しないと想定されることができる。例えば、ＤＭＲＳ指示テーブルのすべての設定について、レートマッチングをするために存在するか否かのどれらか１つの仮定のみが、グループ２に関連付けられてもよい。例えば、端末デバイス１２０には、｛Ｅ、Ｆ、Ｋ、Ｌ｝からのＤＭＲＳポートが設定されてもよく、またはＵＬ送信のためにグループ２が設定されてもよい。この場合、グループ２は、ＤＬ送信にはレートマッチングのために存在すると想定されることができる。このようにして、ＤＭＲＳ設定テーブルに含まれる設定の合計数を減らすことができ、これによって、それらの１つを示すためのシグナリングオーバーヘッドを減らすことができる。図８は、このような実施形態の例を示す。具体的には、図８は、１つのシンボルと１つのＤＭＲＳレイヤに関連付けられたＤＭＲＳタイプ２のいくつかの設定例を示す。図８に示す例は、本開示に対していかなる制限・示唆をすることなく、例示の目的のみであることを理解されたい。
【００７９】
いくつかの実施形態では、ＤＭＲＳタイプ２の場合、３つのＣＤＭグループのすべてが１つの端末デバイスに利用可能であってもよい。ＤＭＲＳ設定テーブル内の設定は、所定の数のＤＭＲＳレイヤおよび／または所定の数の前方ＤＭＲＳシンボルに関連付けられてもよい。特定の設定のためのＤＭＲＳポートが１つまたは２つのＣＤＭグループからのものである場合、ＣＤＭグループ０からのＤＭＲＳポートに関連付けられた設定の数は、ＣＤＭグループ１からのＤＭＲＳポートに関連付けられた設定の数より大きくてもよい。代替的または追加的に、ＣＤＭグループ１からのＤＭＲＳポートに関連付けられた設定の数は、ＣＤＭグループ２からのＤＭＲＳポートに関連付けられた設定の数より大きくてもよい。代替的または追加的に、ＣＤＭグループ０からのＤＭＲＳポートに関連付けられた設定の数は、ＣＤＭグループ２からのＤＭＲＳポートに関連付けられた設定の数より大きくてもよい。代替的または追加的に、ＣＤＭグループ０および１からのＤＭＲＳポートに関連付けられた設定の数は、ＣＤＭグループ１および２からのＤＭＲＳポートに関連付けられた設定の数より大きくてもよい。
【００８０】
いくつかの実施形態では、ＤＭＲＳタイプ２の場合、２つのＣＤＭグループが１つの端末デバイスに利用可能であってもよい。例えば、２つの利用可能なＣＤＭグループは、グループ０およびグループ１である。ＤＭＲＳ設定テーブル内の設定は、所定の数のＤＭＲＳレイヤおよび／または所定の数の前方ＤＭＲＳシンボルに関連付けられてもよい。特定の設定のためのＤＭＲＳポートが１つのＣＤＭグループからのものである場合、ＣＤＭグループ０からのＤＭＲＳポートに関連付けられた設定の数は、ＣＤＭグループ１からのＤＭＲＳポートに関連付けられた設定の数より大きくてもよい。
【００８１】
いくつかの実施形態では、ＤＭＲＳタイプ２の場合、１つの端末デバイスに対して１つのＣＤＭグループのみが利用可能であってもよい。ＵＥで利用可能なＤＭＲＳ設定は、１つの仮定のみに関連付けられてもよい。例えば、仮定は、レートマッチングするための別のＣＤＭグループが存在する否かのどちらかであってもよい。
【００８２】
いくつかの実施形態では、ＤＭＲＳタイプ２の場合、３つのＣＤＭグループのすべてが１つの端末デバイスに利用可能であってもよい。ＤＭＲＳ設定テーブル内の設定は、所定の数のＤＭＲＳレイヤおよび／または所定の数の前方ＤＭＲＳシンボルに関連付けられてもよい。一実施形態では、特定の設定のためのＤＭＲＳポートが１つのＣＤＭグループからのものである場合、他の２つのＣＤＭグループについてのレートマッチングがないという仮定に関連付けられた設定の数は、レートマッチングのための他の２つのＣＤＭグループが存在すると想定する設定の数より小さくてもよい。代替的または追加的に、他の２つのＣＤＭグループのうちの１つのＣＤＭグループについてのレートマッチングがないという仮定に関連付けられた設定の数は、レートマッチングのために他の２つのＣＤＭグループの両方が存在すると想定する設定の数より小さくてもよい。別の実施形態では、特定の設定のためのＤＭＲＳポートが２つのＣＤＭグループからのものである場合、レートマッチングのための第３のＣＤＭグループが存在しないと想定する設定の数は、レートマッチングのための第３のＣＤＭグループが存在すると想定する設定の数より小さくてもよい。
【００８３】
いくつかの実施形態では、ＤＭＲＳタイプ２の場合、３つのＣＤＭグループのうちの２つが１つの端末デバイスに利用可能であってもよい。ＤＭＲＳ設定テーブル内の設定は、所定の数のＤＭＲＳレイヤおよび／または所定の数の前方ＤＭＲＳシンボルに関連付けられてもよい。特定の設定のためのＤＭＲＳポートが１つのＣＤＭグループからのものである場合、別のＣＤＭグループについてのレートマッチングがないという仮定に関連付けられた設定の数は、レートマッチングのための別のＣＤＭグループが存在すると想定する設定の数より小さくてもよい。
【００８４】
いくつかの実施形態では、ＤＭＲＳタイプ２の場合、３つのＣＤＭグループのすべてが１つの端末デバイスに利用可能であってもよい。ＤＭＲＳ設定テーブル内の設定は、所定の数のＤＭＲＳレイヤおよび／または所定の数の前方ＤＭＲＳシンボルに関連付けられてもよい。特定の設定のためのＤＭＲＳポートが１つのＣＤＭグループからのものである場合、他の２つのＣＤＭグループについてのレートマッチングがないという仮定に関連付けられた設定について、これらの設定のためのＤＭＲＳポートは同じＣＤＭグループからのものであってもよい。例えば、ＣＤＭグループは、グループ０、グループ１、またはグループ２のうちの一つであってもよい。レートマッチングのために他の２つのＣＤＭグループのうちの１つが存在するという仮定に関連付けられた設定について、これらの設定の一部は、３つのＣＤＭグループのうちの１つからのＤＭＲＳポートに関連付けられ、これらの設定の他部は、３つのＣＤＭグループのうちの別の１つからのＤＭＲＳポートに関連付けられてもよい。つまり、これらの設定のためのＤＭＲＳポートは、３つのＣＤＭグループのうちの２つだけからのものであってもよい。レートマッチングのために他の２つのＣＤＭグループが両方とも存在するという仮定に関連付けられた設定について、これらの設定の一部はＣＤＭグループ０からのＤＭＲＳポートに関連付けられ、これらの設定の他の一部はＣＤＭグループ１からのＤＭＲＳポートに関連付けられ、これらの設定の残りの一部は、ＣＤＭグループ２からのＤＭＲＳポートに関連付けられてもよい。
【００８５】
いくつかの実施形態では、ＤＭＲＳタイプ２の場合、３つのＣＤＭグループのすべてが１つの端末デバイスに利用可能であってもよい。ＤＭＲＳ設定テーブル内の設定は、所定の数のＤＭＲＳレイヤおよび／または所定の数の前方ＤＭＲＳシンボルに関連付けられてもよい。特定の設定のためのＤＭＲＳポートが１つのＣＤＭグループからのものである場合、これらの設定に関連付けられた仮定が２つあってもよい。１つはレートマッチングのために他の２つのＣＤＭグループが両方とも存在し、もう１つはレートマッチングのために他の２つのＣＤＭグループが両方とも存在しないことである。
【００８６】
いくつかの実施形態では、ＤＭＲＳタイプ２の場合、３つのＣＤＭグループのすべてが１つの端末デバイスに利用可能であってもよい。ＤＭＲＳ設定テーブル内の設定は、所定の数のＤＭＲＳレイヤおよび／または所定の数の前方ＤＭＲＳシンボルに関連付けられてもよい。特定の設定のためのＤＭＲＳポートが２つのＣＤＭグループからのものである場合、これらの設定に関連付けられた仮定が２つあってもよい。１つはレートマッチングのために残りのＣＤＭグループが存在し、もう１つはレートマッチングのために残りのＣＤＭグループが存在しないことである。
【００８７】
いくつかの実施形態では、ＤＭＲＳタイプ１の場合、３つのＣＤＭグループのすべてが１つの端末デバイスに利用可能であってもよい。他の２つのＣＤＭグループについてレートマッチングされないと想定する設定である場合、これらの設定のためのＤＭＲＳポートは同じＣＤＭグループからのものであってもよい。いくつかの実施形態では、ＤＭＲＳポートがグループ０、グループ１またはグループ２からのものであるかどうかは、パラメータによって暗黙的に示されてもよい。例えば、パラメータは、セルＩＤ、仮想セルＩＤ、スクランブリングＩＤなどのうちの少なくとも１つであってもよい。例えば、パラメータの一部の値は、ＤＭＲＳポートがグループ０からのものである可能性があることを暗黙的に示し、パラメータの他の一部の値は、ＤＭＲＳポートがグループ１からのものである可能性があることを暗黙的に示し、パラメータの残りの値は、ＤＭＲＳポートがグループ２からのものである可能性があることを暗黙的に示してもよい。例えば、パラメータの値の３による剰余の結果を使用して、ＤＭＲＳポートを含むＣＤＭグループを示すことができる。
【００８８】
いくつかの実施形態では、ＤＭＲＳタイプ２の場合、３つのＣＤＭグループのうちの２つ、例えばＣＤＭグループ０および１が、１つの端末デバイスに利用可能であってもよい。ＤＭＲＳ設定テーブル内の設定は、所定の数のＤＭＲＳレイヤおよび／または所定数の前方ＤＭＲＳシンボルに関連付けられてもよい。特定の設定のためのＤＭＲＳポートが１つのＣＤＭグループからのものである場合、別のＣＤＭグループについてレートマッチングされないという仮定に関連付けられた設定について、これらの設定のためのＤＭＲＳポートは同じＣＤＭグループからのものであってもよい。例えば、唯一のＣＤＭグループはグループ０またはグループ１のいずれかであってもよい。レートマッチングのための別のＣＤＭグループの存在の仮定に関連付けられた設定について、これらの設定の一部はＣＤＭグループ０からのＤＭＲＳポートに関連付けられ、これらの設定の他部は、ＣＤＭグループ１からのＤＭＲＳポートに関連付けられてもよい。
【００８９】
いくつかの実施形態では、ＤＭＲＳタイプ２の場合、３つのＣＤＭグループのうちの２つ、例えばＣＤＭグループ０および１が、１つの端末デバイスに利用可能であってもよい。設定が別のＣＤＭグループについてレートマッチングされないという仮定に関連付けられる場合、これらの設定のためのＤＭＲＳポートは、同じＣＤＭグループからのものであってもよい。いくつかの実施形態では、ＤＭＲＳポートがグループ０またはグループ１からのものであるかどうかは、パラメータによって暗黙的に示されてもよい。例えば、パラメータは、セルＩＤ、仮想セルＩＤ、スクランブリングＩＤなどのうちの少なくとも１つであってもよい。例えば、パラメータの一部の値は、ＤＭＲＳポートがグループ０からのものであることを暗黙的に示し、パラメータの他部の値は、ＤＭＲＳポートがグループ１からのものであることを暗黙的に示してもよい。例えば、パラメータの偶数及び奇数の値は、それぞれ異なるグループを暗黙的に示すことができる。
【００９０】
いくつかの実施形態では、ＤＭＲＳタイプ２の場合、ＤＭＲＳシンボルの数は２であり、ＤＭＲＳレイヤの数は１であってもよい。別のＣＤＭグループについてレートマッチングされないことに関連付けられたＤＭＲＳ設定テーブル内の設定は、ポートＡ、ポートＢ、ポートＧ、またはポートＨに関してもよい。代替的または追加的に、レートマッチングのための他の２つのＣＤＭグループの存在に関連付けられたＤＭＲＳ設定テーブル内の設定は、ポートＡ、ポートＢ、ポートＣ、ポートＤ、ポートＥ、ポートＦ、ポートＧ、ポートＨ、ポートＩ、ポートＪ、ポートＫ、またはポートＬに関してもよい。代替的または追加的に、レートマッチングのための他の２つのＣＤＭグループのうちの１つの存在に関連付けられたＤＭＲＳ設定テーブル内の設定は、ポートＡ、ポートＢ、ポートＣ、ポートＤ、ポートＧ、ポートＨ、ポートＩ、またはポートＪに関してもよい。
【００９１】
いくつかの実施形態では、ＤＭＲＳタイプ２の場合、ＤＭＲＳシンボルの数は２であってもよい。他の２つのＣＤＭグループについてレートマッチングされないことに関連付けられたＤＭＲＳ設定テーブル内の設定は、ポートＡ／ＢまたはポートＧ／Ｈに関してもよい。代替的または追加的に、レートマッチングのための他の２つのＣＤＭグループのうちの１つの存在に関連付けられたＤＭＲＳ設定テーブル内の設定は、ポートＡ／Ｂ、ポートＧ／Ｈ、ポートＣ／ＤまたはポートＩ／Ｊに関してもよい。代替的または追加的に、レートマッチングのための他の２つのＣＤＭグループの両方の存在に関連付けられたＤＭＲＳ設定テーブル内の設定は、ポートＡ／Ｂ、ポートＣ／Ｄ、ポートＥ／Ｆ、ポートＧ／Ｈ、ポートＩ／ＪまたはポートＫ／Ｌに関してもよい。いくつかの実施形態では、ＤＭＲＳタイプ２の場合、ＤＭＲＳシンボルの数は３であってもよい。他の２つのＣＤＭグループの双方についてレートマッチングされないことに関連付けられたＤＭＲＳ設定テーブル内の設定は、ポートＡ／Ｂ／Ｇに関してもよい。代替的または追加的に、レートマッチングのための他の２つのＣＤＭグループのうちの１つの存在に関連付けられたＤＭＲＳ設定テーブル内の設定は、ポートＡ／Ｂ／ＧまたはポートＣ／Ｄ／Ｉに関してもよい。代替的または追加的に、レートマッチングのための他の２つのＣＤＭグループの存在に関連付けられたＤＭＲＳ設定テーブル内の設定は、ポートＡ／Ｂ／Ｇ、ポートＣ／Ｄ／ＩまたはポートＥ／Ｆ／Ｋに関してもよい。いくつかの実施形態では、ＤＭＲＳタイプ２の場合、ＤＭＲＳレイヤの数は４であってもよい。他の２つのＣＤＭグループ双方についてレートマッチングされないことに関連付けられたＤＭＲＳ設定テーブル内の設定は、ポートＡ／Ｂ／Ｇ／Ｈに関してもよい。代替的または追加的に、レートマッチングのための他の２つのＣＤＭグループのうちの１つの存在に関連付けられたＤＭＲＳ設定テーブル内の設定は、ポートＡ／Ｂ／Ｇ／ＨまたはポートＣ／Ｄ／Ｉ／Ｊに関してもよい。代替的または追加的に、レートマッチングのための他の２つのＣＤＭグループ双方の存在に関連付けられたＤＭＲＳ設定テーブル内の設定は、ポートＡ／Ｂ／Ｇ／Ｈ、ポートＣ／Ｄ／Ｉ／ＪまたはポートＥ／Ｆ／Ｋ／Ｌに関してもよい。いくつかの実施形態では、ＤＭＲＳタイプ２の場合、ＤＭＲＳレイヤの数は４より大きく、レートマッチングのための第３のＣＤＭグループの存在に関連付けられた１つの設定のためのＤＭＲＳポートは、第３のＣＤＭグループについてレートマッチングされないことに関連付けられた別の設定のためのＤＭＲＳポートと同じであってもよい。いくつかの実施形態では、ＤＭＲＳタイプ２の場合、ＤＭＲＳレイヤの数が４より大きい場合、レートマッチングのための第３のＣＤＭグループの有無などの設定に関連付けられた仮定は１つだけでもよい。
【００９２】
いくつかの実施形態では、レートマッチングのための別のＣＤＭグループが存在するという仮定は、特定の数のＤＭＲＳポート、特定の数のＣＤＭグループおよび／または特定の数の前方ＤＭＲＳシンボルに関連付けられた設定にのみ利用可能であってもよい。例えば、ＤＭＲＳタイプ２について、前方ＤＭＲＳシンボルの数が１である場合、１つまたは２つのＤＭＲＳポートを有する設定、および／または１つのＣＤＭグループからのＤＭＲＳポートを有する設定のみが、レートマッチングのための他の２つのＣＤＭグループが存在するという仮定に関連付けられてもよい。代替的または追加的に、１つ、２つ、３つ、または４つのＤＭＲＳポートを有する設定、および／または１つまたは２つのＣＤＭグループからのＤＭＲＳポートを有する設定のみが、レートマッチングのための他の２つのＣＤＭグループのうちの１つだけ存在するという仮定に関連付けられてもよい。例えば、ＤＭＲＳポートの数が５または６である場合、レートマッチングのために別のＣＤＭグループが存在するという仮定はなくてもよい。例えば、ＤＭＲＳタイプ２について、前方ＤＭＲＳシンボルの数が２である場合、１つ、２つ、３つ、または４つのＤＭＲＳポートを有する設定、および／または１つのＣＤＭグループからのＤＭＲＳポートを有する設定のみが、レートマッチングのために他の２つのＣＤＭグループの両方が存在するという仮定、および／またはレートマッチングのために他の２つのＣＤＭグループのうちの１つが存在するという仮定に関連付けられてもよい。例えば、ＤＭＲＳポートの数が４より大きい場合、レートマッチングのための第３のＣＤＭグループの有無の仮定は１つだけでもよい。例えば、ＤＭＲＳポートの数が２、３、または４であり、ＤＭＲＳポートが異なるＣＤＭグループからのものである場合、レートマッチングのための第３のＣＤＭグループの有無の仮定は１つだけでもよい。
【００９３】
いくつかの実施形態では、ＤＭＲＳ設定テーブルにおいて、同じ数のＤＭＲＳ送信レイヤ（例えば、１つのレイヤまたは２つのレイヤ）に関連付けられた設定が複数あってもよい。これらの設定は、レートマッチングのために他のＣＤＭグループが存在しないという仮定に関連付けられてもよい。いくつかの実施形態では、ＤＭＲＳ設定テーブルにおいて、所定の数の前方ＤＭＲＳシンボル、所定の数のＤＭＲＳ送信レイヤ、および所定のＤＭＲＳ設定タイプに関連付けられた設定について、レートマッチングのために他のＣＤＭグループが存在しないと想定するこれらの設定に関連付けられたすべてのＤＭＲＳポートが、１つまたは２つのＣＤＭグループからのものであってもよい。図９Ａは、このような実施形態の例を示す。具体的には、図９Ａは、１つのシンボルに関連付けられたＤＭＲＳタイプ１のいくつかの設定例を示す。図９Ａに示す２つの設定例は、それぞれ、１つのＤＭＲＳ送信レイヤ、ならびにシングルユーザスケジューリングまたは他のＣＤＭグループについてレートマッチングされないという仮定に関連付けられている。
【００９４】
代替的または追加的に、いくつかの実施形態では、ＤＭＲＳ設定テーブルにおいて、所定の数のＤＭＲＳ送信レイヤ（例えば、１つのレイヤ、２つのレイヤ、３つのレイヤまたは４つのレイヤ）に関連付けられた設定が１つより多くてもよい。これらの設定は、レートマッチングのために他のＣＤＭグループが存在しないという仮定にも関連付けられてもよい。いくつかの実施形態では、ＤＭＲＳ設定テーブルにおいて、所定の数の前方ＤＭＲＳシンボル、所定の数のＤＭＲＳ送信レイヤ、および所定のＤＭＲＳ設定タイプに関連付けられた設定について、他のＣＤＭグループについてレートマッチングされない仮定に関連付けられた設定が１つより多くてもよい。図９Ｂは、このような実施形態の例を示す。具体的には、図９Ｂは、１つのシンボルに関連付けられたＤＭＲＳタイプ１の１つの設定例を示す。図９Ｂに示す設定例は、１つのＤＭＲＳ送信レイヤ、及びシングルユーザスケジューリングまたはレートマッチングのための他のＣＤＭグループの存在に関する仮定に関連付けられている。
【００９５】
いくつかの実施形態では、ＤＭＲＳ設定テーブル内の設定は、所定の数の前方ＤＭＲＳシンボル、所定の数のＤＭＲＳ送信レイヤ、および所定のＤＭＲＳ設定タイプに関連付けられてもよい。１つのＣＤＭグループのみからのＤＭＲＳポートは、ＰＤＳＣＨおよび／またはＰＵＳＣＨ送信のために１つの端末デバイスに設定されてもよい。いくつかの実施形態では、ＣＤＭグループ内のマルチユーザスケジューリングが、別のＣＤＭグループについてレートマッチングされないと仮定する設定をサポートしない場合、利用可能な設定の数は１以下であってもよい。いくつかの実施形態では、ＣＤＭグループ内のマルチユーザスケジューリングが、別のＣＤＭグループについてレートマッチングされないと仮定する設定をサポートしている場合、１つのシンボルの前方ＤＭＲＳに利用可能な設定の数は２以下であり、および／または２つのシンボルの前方ＤＭＲＳに利用可能な設定の数は４以下であってもよい。
【００９６】
いくつかの実施形態では、ＤＭＲＳタイプ２の場合、ＤＭＲＳ設定テーブル内の設定は、所定の数の前方ＤＭＲＳシンボル、所定の数のＤＭＲＳ送信レイヤ、および所定のＤＭＲＳ設定タイプに関連付けられてもよい。１つのＣＤＭグループのみからのＤＭＲＳポートは、ＰＤＳＣＨおよび／またはＰＵＳＣＨ送信のために１つの端末デバイスに設定されてもよい。いくつかの実施形態では、ＣＤＭグループ内のマルチユーザスケジューリングが、他の２つのＣＤＭグループのうちの１つについてレートマッチングされないと想定する設定をサポートしない場合、利用可能な設定の数は２以下であってもよい。いくつかの実施形態では、ＣＤＭグループ内のマルチユーザスケジューリングが、他の２つのＣＤＭグループのうちの１つについてレートマッチングされないと想定する設定をサポートしない場合、１シンボルの前方ＤＭＲＳに利用可能な設定の数は４以下であり、および／または２シンボルの前方ＤＭＲＳに利用可能な設定の数は８以下であってもよい。
【００９７】
いくつかの実施形態では、特定の数のシンボルを有する非スロットベースのアップリンクおよび／またはダウンリンク送信の場合、ＤＭＲＳ設定および／またはＤＭＲＳ設定に関する仮定にいくつかの制限がある可能性がある。いくつかの実施形態では、少なくとも特定の数のシンボルを有する非スロットベースのアップリンクおよび／またはダウンリンク送信の場合、１つの端末デバイスのためのＤＭＲＳポートの数および／またはＣＤＭグループの数が制限される可能性がある。例えば、２つ、４つ、または７つのシンボルを有する非スロットベースの送信であり、かつＤＭＲＳタイプ１である場合、１つの端末デバイスのためのＤＭＲＳポートの最大数は４であり、および／または１つの端末デバイスのためのＤＭＲＳ  ＣＤＭグループの最大数は、１である。例えば、２つ、４つ、または７つのシンボルを有する非スロットベースの送信であり、かつＤＭＲＳタイプ２である場合、１つの端末デバイスのためのＤＭＲＳポートの最大数は４または８であり、および／または１つの端末デバイスのためのＤＭＲ  ＳＣＤＭグループの最大数は、１または２である。いくつかの実施形態では、特定の数のシンボルを有する非スロットベースのアップリンクおよび／またはダウンリンク送信の場合、前方ＤＭＲＳシンボルの数は制限される可能性がある。例えば、２つ、４つ、または７つのシンボルを有する非スロットベースの送信の場合、１つの端末デバイスのための前方ＤＭＲＳシンボルの最大数は１である。いくつかの実施形態では、特定の数のシンボルを有する非スロットベースのアップリンクおよび／またはダウンリンクの送信の場合、少なくとも１つのＣＤＭグループは、レートマッチングのために存在しないと見なされる。例えば、２つ、４つ、または７つのシンボルを有する非スロットベースの送信およびＤＭＲＳタイプ１および／またはタイプ２について、すべての設定が１つのＣＤＭグループからのＤＭＲＳポートに関連付けられている場合、他のＣＤＭグループはレートマッチングのために存在しないと見なされる。例えば、他のＣＤＭグループのＲＥをデータ送信に使用できる。例えば、２つ、４つ、または７つのシンボルを有する非スロットベースの送信であり、かつＤＭＲＳタイプ２である場合に、すべての設定が１つまたは２つのＣＤＭグループからのＤＭＲＳポートに関連付けられていると、第３のＣＤＭグループはレートマッチングのために存在しないと見なされる。例えば、第３のＣＤＭグループのＲＥをデータ送信に使用できる。
【００９８】
いくつかの実施形態では、１つの端末デバイスのためのＤＭＲＳ設定におけるいくつかのパラメータは、互いに関連付けられてもよい。いくつかの実施形態では、前方ＤＭＲＳの最大数が１である場合、追加のＤＭＲＳの利用可能な数は、｛０、１、２、３｝のうちの１つであってもよい。いくつかの実施形態では、前方ＤＭＲＳの最大数が２であり、追加のＤＭＲＳの数が０または１である場合、前方ＤＭＲＳシンボルの数が１および２であるという仮定に関連付けられたＤＭＲＳ設定テーブル内の設定は、利用可能である。いくつかの実施形態では、前方ＤＭＲＳの最大数が２であり、追加のＤＭＲＳの数が２または３である場合、ＤＭＲＳ設定テーブル内のいくつかの設定は、利用できなくなる。例えば、前方ＤＭＲＳシンボルの数が２であると想定する設定は、利用できなくなる。いくつかの実施形態では、ＤＭＲＳ設定テーブル内の利用可能な設定のみが端末デバイスに示されてもよい。具体的には、いくつかの実施形態では、利用可能な設定は、新しいインデックスで再構築することができる。ＤＭＲＳ送信のための特定の設定を示すＤＣＩのフィールドのサイズは、利用可能な設定の合計数に基づいて決定されることができる。そのため、特定のＤＭＲＳ設定を示すためのＤＣＩのフィールドのサイズが削減される。
【００９９】
いくつかの実施形態では、端末デバイス１２０は、（例えば、ＲＲＣシグナリングを介して）完全なＤＭＲＳ設定テーブルで設定されてもよい。完全なＤＭＲＳテーブルには、さまざまな仮定に基づいて異なるＤＭＲＳ設定が含まれてもよい。例えば、仮定は次の少なくとも１つを含んでもよい。即ち、１つまたは複数のＤＭＲＳポート、ＤＭＲＳシーケンスのスクランブリングＩＤ、ＤＭＲＳ送信レイヤの数、ＤＭＲＳ送信のために使用されるＤＭＲＳ設定パターン、前方ＤＭＲＳシンボルの数、レートマッチングのためのＣＤＭグループの有無、シングルユーザスケジューリング、マルチユーザスケジューリング、シングルユーザとマルチユーザスケジューリング、シングルパネルスケジューリング、マルチパネルスケジューリング、シングルＴＲＰスケジューリングおよびマルチＴＲＰスケジューリングである。いくつかの実施形態では、ネットワークデバイス１１０は、完全なＤＭＲＳ設定テーブル内のいくつかの設定を制限することによって生成される新しいＤＭＲＳ設定テーブルを（例えば、ＲＲＣシグナリングを介して）端末デバイス１２０にさらに示すことができる。一実施形態では、新しいＤＭＲＳ設定テーブルの指示は、完全なＤＭＲＳ設定テーブルに関するビットマップであってもよい。別の実施形態では、新しいＤＭＲＳ設定テーブルは、完全なＤＭＲＳ設定テーブルのいくつかのサブセットを含んでもよい。例えば、１つのサブセットが１つの端末デバイスに示される場合、サブセット内のすべての設定は端末デバイスに利用可能であってもよい。例えば、いくつかのサブセットを含む新しいＤＭＲＳ設定テーブルの指示は、ビットマップにすることができる。例えば、ビットが「１」である場合、対応するサブセットを利用できる。一方、ビットが「０」である場合、対応するサブセットを利用できない。次に、新しいＤＭＲＳ設定テーブル内の特定の設定を、（ＤＣＩなどの）動的シグナリングを介して端末デバイス１２０に示すことができる。このようにして、ＤＭＲＳ設定を端末デバイス１２０に示すためのシグナリングオーバーヘッドを低減することができる。具体的には、いくつかの実施形態では、新しいＤＭＲＳ設定テーブル内の設定は、完全なＤＭＲＳテーブル内のインデックスとは異なる新しいインデックスでインデックスされることができる。ＤＭＲＳ送信のための特定の設定を示すＤＣＩのフィールドのサイズは、新しいＤＭＲＳ設定テーブルに含まれる設定の合計数に基づいて決定できる。そのため、ＤＣＩのフィールドのサイズが削減される。図１０は、このような実施形態の例を示す。
【０１００】
いくつかの実施形態では、１つより多くのＤＭＲＳ送信レイヤに関連付けられた設定にいくつかの制限がある可能性がある。例えば、一実施形態では、ＤＭＲＳタイプ２の場合、ＤＭＲＳ設定テーブル内のＤＭＲＳポートは、すべて最大２つのＣＤＭグループからのものである。つまり、３つのＣＤＭグループのそれぞれに関連付けられた設定がない可能性がある。例えば、この場合、ＤＭＲＳ設定テーブル内の設定について、シングルＴＲＰまたはシングルパネルスケジューリングを想定できる。
【０１０１】
いくつかの実施形態では、ＤＭＲＳ設定テーブル内の設定の数にいくつかの制限がある可能性がある。一実施形態では、ＤＭＲＳタイプ１の場合、協調スケジュールされる端末デバイスの最大数が制限される可能性がある。例えば、１つのＤＭＲＳ送信レイヤをそれぞれ有し、かつ協調スケジュールされる端末デバイスが最大８つある。２つのＤＭＲＳ送信レイヤをそれぞれ有し、かつ協調スケジュールされる端末デバイスが最大４つある。３つのＤＭＲＳ送信レイヤをそれぞれ有し、かつ協調スケジュールされる端末デバイスが最大３つある。４つのＤＭＲＳ送信レイヤをそれぞれ有し、かつ協調スケジュールされる端末デバイスが最大２つある。例えば、前方ＤＭＲＳのシンボル数が１である場合、１つのＤＭＲＳ送信レイヤをそれぞれ有し、かつ協調スケジュールされる端末デバイスが最大４つある。２つのＤＭＲＳ送信レイヤをそれぞれ有し、かつ協調スケジュールされる端末デバイスが最大２つある。３つまたは４つのＤＭＲＳ送信レイヤが１つの端末デバイスに対して設定される場合、マルチユーザスケジューリングがなくてもよい。一実施形態では、ＤＭＲＳタイプ２の場合、協調スケジュールされる端末デバイスの最大数が制限される可能性がある。例えば、１つのＤＭＲＳ送信レイヤをそれぞれ有し、かつ協調スケジュールされる端末デバイスが最大８つある。２つのＤＭＲＳ送信レイヤをそれぞれ有し、かつ協調スケジュールされる端末デバイスが最大４つまたは６つある。３つのＤＭＲＳ送信レイヤをそれぞれ有し、かつ協調スケジュールされる端末デバイスが最大４つまたは３つある。４つのＤＭＲＳ送信レイヤをそれぞれ有し、かつ協調スケジュールされる端末デバイスが最大３つまたは２つある。異なる数の送信レイヤを有する端末デバイスは、依然として協調スケジュールされ得ることに留意されたい。このようにして、ＤＭＲＳ設定テーブル内の設定の数を減らすことができ、これによって、それらの１つを示すためのシグナリングオーバーヘッドを減らす。
【０１０２】
いくつかの実施形態では、例えば、端末デバイス１２０にパラメータが設定されてもよい。この場合、第１の設定がＤＭＲＳ設定テーブルから端末デバイス１２０に割り当てられる場合、第１の設定は、設定されたパラメータに組み合わせられることで端末デバイス１２０にＤＭＲＳ送信のための実際の設定を示してもよい。いくつかの実施形態では、例えば、設定されたパラメータは、以下のうちの少なくとも１つを示してもよい。即ち、疑似コロケーション（ＱＣＬ：Quasi-Co-Location）パラメータ、ＤＭＲＳシーケンスのスクランブリングＩＤ、レートマッチングのためのＣＤＭグループの有無、レートマッチングのためのＵＬ  ＤＭＲＳ  ＣＤＭグループ、シングルＴＲＰまたはマルチＴＲＰスケジューリングなどである。ＤＭＲＳ送信のための実際の設定は、次の少なくとも１つを示してもよい。即ち、１つまたは複数のＤＭＲＳポート、ＤＭＲＳシーケンスのスクランブリングＩＤ、ＤＭＲＳ送信レイヤの数、ＤＭＲＳ送信に使用されるＤＭＲＳ設定パターン、前方ＤＭＲＳシンボルの数、レートマッチングのためのＣＤＭグループの有無、シングルユーザスケジューリング、マルチユーザスケジューリング、シングルユーザとマルチユーザスケジューリング、シングルパネルスケジューリング、マルチパネルスケジューリング、シングルＴＲＰスケジューリング、およびマルチＴＲＰスケジューリングである。特に、いくつかの実施形態では、ＤＭＲＳ設定テーブルによる異なる設定または設定の異なるサブセットは、それぞれ、事前に設定された異なるパラメータに関連付けられてもよい。
【０１０３】
いくつかの実施形態では、各ＣＤＭグループに対してそれぞれのスクランブリングＩＤが設定されてもよい。異なるＣＤＭグループのそれぞれのスクランブリングＩＤが同じである場合、第１のＤＭＲＳ設定テーブルが暗黙的に示されてもよい。例えば、少なくとも２層のＤＭＲＳ送信のための設定に関連付けられたＤＭＲＳポートは、同じＣＤＭグループからのものであってもよい。異なるＣＤＭグループのスクランブリングＩＤが異なる場合、第１のＤＭＲＳ設定テーブルとは異なる第２のＤＭＲＳ設定テーブルが暗黙的に示されてもよい。例えば、少なくとも２層のＤＭＲＳ送信のための設定に関連付けられたＤＭＲＳポートは、異なるＣＤＭグループからのものであってもよい。
【０１０４】
いくつかの実施形態では、シングルＴＲＰ／シングルパネルおよびマルチＴＲＰ／マルチパネルのスケジューリングは、いくつかのパラメータによって暗黙的に示されてもよい。例えば、パラメータはＱＣＬパラメータに含まれてもよい。いくつかの実施形態では、各ＣＤＭグループに対してそれぞれのスクランブリングＩＤが設定されてもよい。異なるＣＤＭグループのそれぞれのスクランブリングＩＤが同じである場合、シングルＴＲＰまたはシングルパネル送信が想定されてもよい。異なるＣＤＭグループのスクランブリングＩＤが異なる場合、マルチＴＲＰまたはマルチパネル送信が想定されてもよい。
【０１０５】
図１１Ａは、このような実施形態の例を示す。図１１Ａに示すように、異なるＣＤＭグループのそれぞれのスクランブリングＩＤが同じである場合、ＤＭＲＳ設定テーブル１１１０が暗黙的に示されてもよい。例えば、端末デバイス１２０は、スケジューリングがシングルＴＲＰ／パネルからのものであることを暗黙的に示してもよい。しかしながら、異なるＣＤＭグループのそれぞれのスクランブリングＩＤが異なる場合、別のＤＭＲＳ設定テーブル１１２０が暗黙的に示されてもよい。例えば、端末デバイス１２０は、スケジューリングがマルチＴＲＰ／パネルからのものであることを暗黙的に示す。この２つのケースにおいて、図１１Ａに示すように、対応するＤＭＲＳポートは異なる。
【０１０６】
図１１Ｂは、このような実施形態の別の例を示す。図１１Ｂに示すように、異なるＣＤＭグループのそれぞれのスクランブリングＩＤが同じである場合、ＤＭＲＳ設定テーブル１１３０が暗黙的に示されてもよい。例えば、端末デバイス１２０は、スケジューリングが（例えば、偶数のセルＩＤを有する）１つのセルからのものであることを暗黙的に示す。しかしながら、異なるＣＤＭグループのそれぞれのスクランブリングＩＤが異なる場合、ＤＭＲＳ設定テーブル１１４０が暗黙的に示されてもよい。例えば、端末デバイス１２０は、スケジューリングが（例えば、奇数のセルＩＤを有する）別のセルからのものであることを暗黙的に示す。この２つのケースにおいて、図１１Ｂに示すように、対応するＤＭＲＳポートは異なる。
【０１０７】
いくつかの実施形態では、暗黙の指示は、設定テーブルのサブセットにのみ影響を与える。例えば、一実施形態では、異なるＣＤＭグループのそれぞれのスクランブリングＩＤが同じであるかどうかに関わらず、１つのＤＭＲＳ送信レイヤに関連付けられたこれらの設定は変更されなくてもよい。別の実施形態では、異なるＣＤＭグループのそれぞれのスクランブリングＩＤが同じである場合、ＤＭＲＳ設定テーブル内のＸ層の設定（すなわち、Ｘ送信レイヤに関連付けられる設定）は、同じＣＤＭグループからのＸ層に関連付けられてもよい。ただし、異なるＣＤＭグループのそれぞれのスクランブリングＩＤが異なる場合、ＤＭＲＳ設定テーブル内のＸレイヤの設定は、異なるＣＤＭグループからのＸレイヤに関連付けられてもよい。例えば、Ｘは、２、３および４のいずれかである。いくつかの実施形態では、スクランブリングＩＤは、ＱＣＬパラメータで示されることができる。
【０１０８】
いくつかの実施形態では、ＤＭＲＳタイプ１の場合、前方ＤＭＲＳシンボルの最大数が１である場合、ＤＣＩで変調符号化方式／新規データインジケータ／冗長バージョン（ＭＣＳ／ＮＤＩ／ＲＶ：Modulation and Coding Scheme/New Data Indicator/Redundancy version）が１組だけでもよい。この場合、例えば、レートマッチングのためのＣＤＭグループの有無が、ＤＭＲＳ設定テーブルに示されてもよい。いくつかの実施形態では、ＤＭＲＳタイプ１の場合、前方ＤＭＲＳシンボルの最大数が２である場合、ＤＣＩで２組のＭＣＳ／ＮＤＩ／ＲＶが存在してもよい。この場合、例えば、マルチユーザスケジューリングの各端末デバイスでは、サポートできる符号語（ＣＷ）は１つだけである。そのため、無効になったＣＷのＮＤＩを使用して、少なくともＤＭＲＳ設定テーブル内のいくつかの設定にレートマッチングのためのＣＤＭグループの有無を示すことができる。図１２は、このような実施形態の例を示す。図１２に示すように、無効になったＣＷのＮＤＩが０である場合、設定テーブル１２１０を示すことができる。一方、無効になったＣＷのＮＤＩが１である場合、異なる設定テーブル１２２０を示すことができる。
【０１０９】
いくつかの実施形態では、ＤＭＲＳタイプ２の場合、レートマッチングのために１つまたは２つのＣＤＭグループが存在してもよい。前方ＤＭＲＳシンボルの最大数が２である場合、ＤＣＩに２組のＭＣＳ／ＮＤＩ／ＲＶがあってもよい。この場合、例えば、マルチユーザスケジューリングの各端末デバイスでは、サポートできるＣＷは１つだけである。そのため、無効になったＣＷのＮＤＩを使用して、少なくともＤＭＲＳ設定テーブル内のいくつかの設定にレートマッチングのためのＣＤＭグループの有無を示すことができる。例えば、一実施形態では、いくつかの設定について、２つのＣＤＭグループの両方の有無は、１ビットのＮＤＩによって示されてもよい。別の実施形態では、１つのＣＤＭグループがレートマッチングのために存在する、または存在しないと見なされることができ、１ビットのＮＤＩを使用して、他のＣＤＭグループがレートマッチングのために存在する、または存在しないかどうかを示すことができる。さらに、いくつかの実施形態では、１つの端末デバイスのためのＤＭＲＳポートおよび／またはＣＤＭグループの数に制限があってもよい。一部の設定では、１つのＣＤＭグループがレートマッチングのために存在する、または存在しないと見なされることができ、１ビットのＮＤＩを使用して、レートマッチングのために他のＣＤＭグループが存在するか否かを示すことができる。別の実施形態では、２つのＣＤＭグループのそれぞれは、レートマッチングのために存在する、または存在しないと見なされることができる。
【０１１０】
いくつかの実施形態では、異なる数の送信レイヤに関連付けられたＤＭＲＳ設定のためのいくつかの設定があってもよい。これらの設定は、特定の条件に関してもよい。条件が満たされる場合、これらの設定はすべてＤＭＲＳ設定テーブルで利用できる。ただし、条件が満たされない場合、これらの設定はすべて利用できなくなる。例えば、３つの送信レイヤに関連付けられた設定は、ＤＭＲＳポートＡ、Ｂ、および／またはＣに関してもよい。２つの送信レイヤに関連付けられた別の設定は、ＤＭＲＳポートＦおよび／またはＨに関してもよい。マルチユーザスケジューリングがマルチＴＲＰ／パネル送信に対して有効になっている場合、ＤＭＲＳポートＦおよび／またはＨに関連付けられた他の設定は利用可能であってもよい。ただし、マルチＴＲＰ／パネル送信が有効ではない場合、ＤＭＲＳポートＦおよび／またはＨに関連付けられた他の設定は利用できなくなる。
【０１１１】
上述のように、混合ＤＬ／ＵＬスロットは、ＮＲにおいてサポートされることができる。混合スロットでは、ＰＵＳＣＨのための前方ＤＭＲＳの第１の位置の箇所について、スケジュールされたデータに関する１番目のＯＦＤＭシンボルに、前方ＵＬ  ＤＭＲＳの１番目のシンボルが含まれることが合意されている。また、スロットの３番目または４番目のシンボルには、前方ＤＭＲＳの１番目のシンボルが含まれることも合意されている。ただし、ＵＬ  ＤＭＲＳ設定の詳細はまだ設計されていない。いくつかの実施形態では、混合スロット内のＵＬ  ＤＭＲＳ送信のための開始位置（「第３の開始位置」とも呼ばれる）は、ＰＵＳＣＨ送信のための開始位置（「第１の開始位置」とも呼ばれる）およびスロット内のＤＬ  ＤＭＲＳ送信のための開始位置（「第２の開始位置」とも呼ばれる）に基づいて決定されることができる。
【０１１２】
一実施形態では、ＤＬ  ＤＭＲＳ送信のための開始位置がスロット内の３番目のシンボルであり、かつＰＵＳＣＨ送信がスロット内の３番目のシンボルよりも以前に開始する場合、ＵＬ  ＤＭＲＳ送信は、スロット内の３番目のシンボルから開始してもよい。別の実施形態では、ＤＬ  ＤＭＲＳ送信のための開始位置がスロット内の４番目のシンボルであり、かつＰＵＳＣＨ送信がスロット内の４番目のシンボルよりも以前に開始する場合、ＵＬ  ＤＭＲＳ送信はスロット内の４番目のシンボルから開始してもよい。
【０１１３】
図１３Ａおよび図１３Ｂは、このような実施形態の例を示す。図１３Ａにおいて、ＰＵＳＣＨ送信のための開始位置１３１０がＸ（すなわち、シンボルインデックスが１から始まる１つのスロット内のＸ番目のシンボル）であると想定する。一実施形態では、ＤＬ  ＤＭＲＳ送信のための開始位置が３（すなわち、１スロット内の３番目のシンボル）であり、Ｘ≦３である場合、ＵＬ  ＤＭＲＳ送信のための開始位置１３２０は３であってもよい。図１３Ｂにおいて、ＰＵＳＣＨ送信のための開始位置１３３０はＹ（つまり、シンボルインデックスが１から始まる１つのスロット内のＹ番目のシンボル）であると想定する。一実施形態では、ＤＬ  ＤＭＲＳ送信のための開始位置が４（すなわち、１スロット内の４番目のシンボル）であり、Ｙ≦４である場合、ＵＬ  ＤＭＲＳ送信のための開始位置１３４０は４であってもよい。
【０１１４】
さらに、ＮＲでは、端末デバイスがＱＣＬ設定を受信する時間と、ＱＣＬ設定が初めてＰＤＳＣＨまたはＰＤＣＣＨの復調に適用される時間との間のタイミングが検討されてきた。少なくとも空間ＱＣＬが設定されている場合、ＮＲは次のようにＰＤＳＣＨのためのビーム指示をサポートする。ＴＣＩフィールドが存在する場合、ＴＣＩフィールドは、同じスロットスケジューリングまたはクロススロットスケジューリングに関係なく、常にＰＤＳＣＨスケジューリングのために関連付けられたＤＣＩに存在する。スケジューリングオフセットが閾値Ｋ未満の場合、ＰＤＳＣＨは事前設定／事前定義／ルールベースの空間的仮定を使用してもよい。スケジューリングオフセットが閾値Ｋ以上の場合、ＰＤＳＣＨは割り当てＤＣＩ内のＮビットＴＣＩフィールドで示されるビーム（空間ＱＣＬのパラメータ）を使用してもよい。
【０１１５】
いくつかの実施形態では、閾値Ｋは、場合によって異なってもよい。例えば、以下の場合の少なくとも１つでは、閾値ＫはＫ１に等しくてもよい。即ち、ビームが変更された場合、ＰＤＣＣＨのＤＭＲＳおよびスケジュールされたＰＤＳＣＨのＤＭＲＳはＱＣＬされない場合、または、ＤＣＩで示されるＴＣＩが変更された場合である。次の場合の少なくとも１つでは、閾値ＫはＫ２に等しくてもよい。即ち、ビームは変更されない場合、ＰＤＣＣＨのＤＭＲＳおよびスケジュールされたＰＤＳＣＨのＤＭＲＳはＱＣＬされた場合、または、ＤＣＩで示されるＴＣＩが変更された場合である。いくつかの実施形態では、例えば、Ｋ２≦Ｋ１である。
【０１１６】
いくつかの実施形態では、上記のようにＤＭＲＳ設定を制限するためのポリシーは、ネットワークデバイス１１０と端末デバイス１２０の両方で事前に設定されることができる。すなわち、端末デバイス１２０は、ネットワークデバイス１１０から受信された第２の情報（例えば、ＤＭＲＳ設定テーブルからのインデックス）および事前に設定された制限ポリシーに基づいて、詳細なＤＭＲＳ設定を決定できる。したがって、ＤＭＲＳ設定を示すためのシグナリングオーバーヘッドを低減することができる。
【０１１７】
いくつかの実施形態では、周波数領域において、ＰＴＲＳをマッピングするためのＲＢの選択にＲＢオフセットを使用することができる。一実施形態では、ＲＢオフセットは、スクランブリング識別（ＳＣＩＤ）、セル識別などのパラメータのうちの少なくとも１つから決定されることができる。一実施形態では、ＲＢオフセットは、無線リソース制御（ＲＲＣ）パラメータ「ＰＴＲＳ−ＲＢオフセット」によって明示的に設定されることができる。
【０１１８】
いくつかの実施形態では、ＰＴＲＳをマッピングするために選択されたＲＢは、周波数の範囲で制限される。いくつかの実施形態では、周波数の範囲は、周波数領域におけるＰＴＲＳ密度に基づいて決定される。
【０１１９】
いくつかの実施形態では、周波数領域におけるＰＴＲＳ密度に関連付けられたパラメータはＤであってもよいため、ＰＴＲＳ密度は周波数領域で１／Ｄであってもよく、ここでＤは正の整数である。例えば、Ｄは１、２、３、４、８または１６のうちの一つであってもよい。例えば、周波数領域におけるＰＴＲＳ密度は、ＰＴＲＳがＲＢごと（つまり、Ｄ＝１）、２番目のＲＢごと（つまり、Ｄ＝２）、３番目のＲＢごと（つまり、Ｄ＝３）、４番目のＲＢごと（つまり、４）、８番目のＲＢごと（つまり、Ｄ＝８）または１６番目のＲＢごと（つまり、Ｄ＝１６）のうちの少なくとも１つで一つのサブキャリア（全てのＲＥである必要がない）を占有することを示しても良い。いくつかの実施形態では、ＰＴＲＳポートのＲＢオフセットは、周波数領域におけるＰＴＲＳ密度に基づいて決定されてもよい。一実施形態では、ＰＴＲＳポートのＲＢオフセットは、Ｒ  ｍｏｄ  Ｄとして表してもよく、ここで、Ｒは、１つまたは複数のパラメータ（例えば、ＳＣＩＤ、セルＩＤなど）から暗黙的に導出される潜在的なインデックスである。いくつかの実施形態では、ＲＢオフセットは、周波数領域におけるＰＴＲＳ密度に関連付けられたパラメータＤ以下であってもよい。例えば、ＲＢオフセットＸの利用可能な値は整数であり、０≦Ｘ＜Ｄであってもよい。例えば、ＰＴＲＳ周波数密度が１である場合、ＲＢオフセットを必要としなくてもよい。代替的に、ＲＢオフセットは０であってもよい。別の例では、ＰＴＲＳ周波数密度が１／２である場合、ＲＢオフセットは０または１であってもよい。別の例では、ＰＴＲＳ周波数密度が１／３である場合、ＲＢオフセットは０、１または２のうちの一つであってもよい。別の例として、ＰＴＲＳ周波数密度が１／４である場合、ＲＢオフセットは０、１、２または３のうちの一つであってもよい。
【０１２０】
いくつかの実施形態では、ダウンリンクおよび／またはアップリンクのスケジューリングについて、スケジューリングは非スロットベースおよび／またはスロットベースの送信であってもよい。ネットワークデバイス１１０は、ＤＭＲＳポートの最大数、前方ＤＭＲＳシンボルの最大数、ＣＤＭグループの最大数、符号語の最大数、ＤＭＲＳポートの数、前方ＤＭＲＳシンボルの数、ＣＤＭグループの数、および符号語の数のうちの少なくとも１つの設定を、端末デバイス１２０に示してもよい。いくつかの実施形態では、端末デバイス１２０は、ＰＴＲＳポートの所望の最大数をネットワークデバイス１１０に報告してもよい。いくつかの実施形態では、報告されたＰＴＲＳポートの最大数に利用可能な値の数および／またはＰＴＲＳポートの所望の最大数を報告するためのフィールドのサイズは、異なるパラメータに基づいて異なってもよい。例えば、場合によっては、報告されたＰＴＲＳポートの最大数に利用可能な値に０及び１が含まれてもよい。代替的に、ＰＴＲＳポートの最大数を報告する必要がなくてもよい。これらの場合は、少なくとも次の一つであることができる。即ち、符号語の最大数は１である場合、ＤＭＲＳポートの最大数は４である場合、ＣＤＭグループの最大数は１である場合、または、ＤＭＲＳタイプ１のために前方ＤＭＲＳシンボルの最大数は１である場合である。
【０１２１】
いくつかの実施形態では、端末デバイス１２０は、ＰＴＲＳポートに関連付けられた好ましいＤＭＲＳレイヤ／ポートをネットワークデバイス１１０に報告してもよい。いくつかの実施形態では、利用可能な値の数および／または好ましいＤＭＲＳレイヤ／ポートのインデックスを報告するためのビットフィールドのサイズは、異なるパラメータに基づいて異なってもよい。いくつかの実施形態では、好ましいＤＭＲＳレイヤ／ポートインデックスのインデックスのためのビットフィールドのサイズは、以下の場合の少なくとも１つにおいて２であってもよい。即ち、符号語の最大数は１である場合、ＤＭＲＳポートの最大数は４である場合、ＣＤＭグループの最大数は１である場合、または、ＤＭＲＳタイプ１のために前方ＤＭＲＳシンボルの最大数は１である場合である。他のいくつかのケースでは、好ましいＤＭＲＳレイヤ／ポートのインデックスのためのビットフィールドのサイズは３であってもよい。いくつかの実施形態では、好ましいＤＭＲＳレイヤ／ポートのためのインデックスのビットフィールドのサイズは、ＤＭＲＳ設定テーブルに示されるＤＭＲＳレイヤ／ポートの数に依存してもよい。例えば、好ましいＤＭＲＳレイヤ／ポートのインデックスのためのビットフィールドのサイズは「ｌｏｇ２（Ｍ）」であってもよく、ここで、Ｍは、ＤＭＲＳ設定テーブルに示されるＤＭＲＳレイヤ／ポートの数である。いくつかの実施形態では、好ましいＤＭＲＳレイヤ／ポートの実際のインデックスは、ＤＭＲＳ設定テーブルに含まれるＤＭＲＳレイヤ／ポートインデックス内に制限されるべきである。
【０１２２】
いくつかの実施形態では、ネットワークデバイス１１０は、スロット設定に関する情報（例えば、ダウンリンクシンボルの数、アップリンクシンボルの数、未知のシンボルの数、または予約されたシンボルの数のうちの少なくとも１つを含む）を端末デバイス１２０に示してもよい。スロット設定に関する情報は、ＲＲＣシグナリング、ＭＡＣ  ＣＥおよび／またはＤＣＩを介して示されてもよい。いくつかの実施形態では、ネットワークデバイス１１０は、追加のＤＭＲＳの数を端末デバイス１２０に設定してもよい。いくつかの実施形態では、追加のＤＭＲＳの数のいくつかの値では、対応するＤＭＲＳ設定パターンによる最後の追加のＤＭＲＳシンボルの位置は、スロット設定の情報に示される最後の利用可能なダウンリンクおよび／またはアップリンクシンボルを超えてもよい。いくつかの実施形態では、この場合、最後の追加のＤＭＲＳシンボルが最後の利用可能なダウンリンクおよび／またはアップリンクシンボルを超えないように、追加のＤＭＲＳの数を減らしてもよい。いくつかの実施形態では、この場合、スロット設定に関する情報は、最後のダウンリンクおよび／またはアップリンクシンボルが最後の追加のＤＭＲＳをカバーするように制限されてもよい。すなわち、スロット設定に関する情報に示されるダウンリンクおよび／またはアップリンクシンボルの数は、最後の追加のＤＭＲＳシンボルをカバーするのに十分に大きい。したがって、可能なスロット設定の数、および／または可能なスロット設定のうちの１つを示すためのビットフィールドのサイズが低減されることができる。
【０１２３】
いくつかの実施形態では、ＤＭＲＳ設定テーブル内の利用可能なＤＭＲＳポートの数、利用可能なＣＤＭグループの数、または利用可能なＤＭＲＳ設定の数のうちの少なくとも１つは、協調スケジュールされたＤＭＲＳポートおよび／またはＣＤＭグループの数に関してもよい。例えば、１シンボルの前方ＤＭＲＳを有するＤＭＲＳタイプ２の場合、協調スケジュールされたＤＭＲＳポートの数が４であると、利用可能なＤＭＲＳポートの数は２以下であってもよい。
【０１２４】
図１４は、本開示のいくつかの実施形態にかかる例示的な方法１４００のフローチャートを示す。方法１４００は、図１に示す端末デバイス１２０で実行されることができる。議論の目的のために、図１を参照して端末デバイス１２０の観点から方法１４００を説明する。
【０１２５】
動作１４１０において、端末デバイス１２０は、ネットワークデバイス１１０から、ネットワークデバイスと端末デバイスとの間のＤＭＲＳ送信のための第１の設定に関する第２の情報を受信する。いくつかの実施形態では、第１の設定は、ＤＭＲＳ送信に関する第１の情報を含んでもよい。第１の情報は、送信スケジューリングに関する第２の設定に関連付けられてもよい。
【０１２６】
動作１４２０において、端末デバイス１２０は、少なくとも第２の情報に基づいて、第１の情報および第２の設定の両方を決定する。
【０１２７】
いくつかの実施形態では、第１の情報は、以下のうちの少なくとも１つを示す。即ち、１つまたは複数のＤＭＲＳポート、ＤＭＲＳシーケンスのスクランブリング識別、ＤＭＲＳ送信レイヤの数、ＤＭＲＳ送信に使用されるＤＭＲＳ設定パターン、および前方ＤＭＲＳシンボルの最大数である。
【０１２８】
いくつかの実施形態では、第１の情報は、ＤＭＲＳ送信に使用されるＤＭＲＳ設定パターンおよび１つまたは複数のＤＭＲＳポートを示し、ＤＭＲＳ設定パターンは、ＤＭＲＳポートの少なくとも第１および第２のグループに関連付けられ、一つまたは複数のＤＭＲＳポートはＤＭＲＳポートの第１のグループに含まれ、第２の設定は、レートマッチングのためにＤＭＲＳポートの第２のグループが存在するかを示す。
【０１２９】
いくつかの実施形態では、第２の設定はさらに、以下のうちの少なくとも１つを示す。即ち、シングルユーザスケジューリング、マルチユーザスケジューリング、シングルユーザとマルチユーザスケジューリング、シングルパネルスケジューリング、マルチパネルスケジューリング、シングル送受信ポイント（シングルＴＲＰ）スケジューリング、およびマルチ送受信ポイント（マルチＴＲＰ）スケジューリングである。
【０１３０】
いくつかの実施形態では、端末デバイス１２０は、上位レイヤのシグナリングを介して異なる端末デバイスとネットワークデバイスとの間のＤＭＲＳ送信のための複数の設定の第１の指示を受信すること、および、動的シグナリングを介して第１の設定の第２の指示を受信することによって、第２の情報を受信してもよい。
【０１３１】
いくつかの実施形態では、端末デバイス１２０は、ＤＭＲＳ送信に関する事前に設定されたパラメータおよび第２の情報に基づいて、ＤＭＲＳ送信のための第３の設定を決定してもよい。第３の設定には、第１の情報及び第２の設定が含まれる。
【０１３２】
いくつかの実施形態では、ＤＭＲＳ送信は、ネットワークデバイスからのダウンリンク（ＤＬ）ＤＭＲＳ送信および端末デバイスからのアップリンク（ＵＬ）送信を含み、ＤＬ  ＤＭＲＳ送信およびＵＬ  ＤＭＲＳ送信は、同じスロットでスケジュールされる。端末デバイス１２０は、同じスロット内の物理アップリンク共有チャネル（ＰＵＳＣＨ）送信のための第１の開始位置をさらに決定してもよい。端末デバイス１２０は、同じスロット内のＤＬ  ＤＭＲＳ送信のための第２の開始位置をさらに決定してもよい。さらに、端末デバイス１２０は、第１および第２の開始位置に基づいて、同じスロット内のＵＬ  ＤＭＲＳ送信のための第３の開始位置を決定してもよい。
【０１３３】
図３〜１４を参照して上記で説明したように、ＤＭＲＳ設定を制限するためのネットワークデバイス１１０に関する動作および特徴の少なくとも一部は、同様に方法１４００に適用可能であり、かつ類似の効果を有することを理解されたい。簡略化のため、詳細は省略する。
【０１３４】
図１５は、本開示の実施形態の実施に適するデバイス１５００の簡略的なブロック図である。デバイス１５００は、図１に示すネットワークデバイス１１０または端末デバイス１２０のさらなる例示的な実施手段と見なすことができる。したがって、デバイス１５００は、ネットワークデバイス１１０または端末デバイス１２０において、又はその少なくとも一部として実装され得る。
【０１３５】
示されるように、デバイス１５００は、プロセッサ１５１０、プロセッサ１５１０に接続されたメモリ１５２０、プロセッサ１５１０に接続された適切な送信機（ＴＸ）および受信機（ＲＸ）１５４０、およびＴＸ／ＲＸ１５４０に接続された通信インターフェースを含む。メモリ１５１０は、プログラム１５３０の少なくとも一部を格納する。ＴＸ／ＲＸ１５４０は、双方向通信するためのものである。ＴＸ／ＲＸ１５４０は、通信を容易にするために少なくとも１つのアンテナを有するが、実際には、本明細書で言及されるアクセスノードは、いくつかを有し得る。通信インターフェイスは、ｅＮＢ間の双方向通信用のＸ２インターフェース、ＭＭＥ（Mobility Management Entity）／Ｓ−ＧＷ（Serving Gateway）とｅＮＢとの間の通信用のＳ１インターフェース、ｅＮＢとリレーノード（ＲＮ：Relay Node）との間の通信用のＵｎインターフェース、またはｅＮＢと端末デバイスとの間の通信用のＵｕインターフェースなど、他のネットワーク要素との通信に必要な任意のインターフェイスを表す。
【０１３６】
プログラム１５３０は、関連するプロセッサ１５１０によって実行されると、デバイス１５００が本開示の実施形態に従って動作することを可能にするプログラム命令を含むと想定される。本明細書の実施形態は、デバイス１５００のプロセッサ１５１０により実行可能なコンピュータソフトウェアにより、またはハードウェアにより、またはソフトウェアとハードウェアの組み合わせにより実施され得る。プロセッサ１５１０は、本開示の様々な実施形態を実施するように設定され得る。さらに、プロセッサ１５１０およびメモリ１５１０の組み合わせは、本開示の様々な実施形態を実施するのに適した処理手段１５５０を形成し得る。
【０１３７】
メモリ１５１０は、ローカル技術ネットワークに適した任意のタイプのものであってもよく、非限定的な例として、非一時的なコンピュータ読み取り可能な記憶媒体、半導体系のメモリデバイス、磁気メモリデバイスおよびシステム、光メモリデバイスおよびシステム、固定メモリおよびリムーバブルメモリなどの任意の適切なデータストレージ技術を使用して実施されてもよい。デバイス１５００には１つのメモリ１５１０のみが示されているが、デバイス１５００には物理的に別個であるいくつかのメモリモジュールがあってもよい。プロセッサ１５１０は、ローカル技術ネットワークに適した任意のタイプのものであってもよく、非限定的な例として、汎用コンピュータ、専用コンピュータ、マイクロプロセッサ、デジタル信号プロセッサ（ＤＳＰ：Digital Signal Processor）、および、マルチコアプロセッサアーキテクチャに基づくプロセッサのうちの１つ以上を含んでもよい。デバイス１５００は、メインプロセッサを同期させるクロックに時間的に従属する特定用途向け集積回路チップなどの複数のプロセッサを有してもよい。
【０１３８】
一般的に、本開示の様々な実施形態は、ハードウェアまたは専用回路、ソフトウェア、ロジック、またはそれらの任意の組み合わせで実施され得る。例えば、いくつかの態様はハードウェアで実施され、他の態様はコントローラ、マイクロプロセッサまたは他のコンピューティングデバイスによって実行されるファームウェアまたはソフトウェアで実施されてもよい。本開示の実施形態の様々な態様は、ブロック図、フローチャート、または他の何らかの画像表現を使用して例示および説明されてもよく、本明細書で説明されるこれらのブロック、装置、システム、技術または方法は、非限定的な例として、ハードウェア、ソフトウェア、ファームウェア、専用回路またはロジック、汎用ハードウェアまたはコントローラまたは他のコンピューティングデバイス、またはそれらの組み合わせに実施されてもよい。
【０１３９】
本開示はまた、非一時的なコンピュータ読み取り可能な記憶媒体に有形に格納された少なくとも１つのコンピュータプログラム製品を提供する。コンピュータプログラム製品は、図１〜９のいずれかを参照して上記で説明したプロセスまたは方法を実行するために、プログラムモジュールに含まれるものなどの、対象の実プロセッサまたは仮想プロセッサ上のデバイスで実行される、コンピュータ実行可能な命令を含む。一般的に、プログラムモジュールは、特定のタスクを実行する、または特定の抽象データ型を実装するルーチン、プログラム、ライブラリ、オブジェクト、クラス、コンポーネント、データ構造などを含む。プログラムモジュールの機能は、様々な実施形態で所望の通りプログラムモジュール間で組み合わせるか、または分割することができる。プログラムモジュールのためのマシン実行可能な命令は、ローカルデバイスまたは分散型デバイスで実行できる。分散型デバイスでは、プログラムモジュールはローカルとリモートのストレージメディアの両方に配置できる。
【０１４０】
本開示の方法を実行するためのプログラムコードは、１つまたは複数のプログラミング言語の任意の組み合わせで書かれることができる。これらのプログラムコードは、汎用コンピュータ、専用コンピュータ、またはその他のプログラマブルデータ処理装置のプロセッサまたはコントローラに提供されることによって、プログラムコードがプロセッサまたはコントローラによって実行されると、フローチャートおよび／またはブロック図に規定される機能／動作が実現される。プログラムコードは、完全にマシン上で実行でき、一部がマシン上で実行でき、スタンドアロンソフトウェアパッケージとして、一部がマシン上で実行しかつ一部がリモートマシン上で実行し、または完全にリモートマシンまたはサーバー上で実行できる。
【０１４１】
上記のプログラムコードは、命令実行システム、装置、またはデバイスによって、またはそれらと関連して使用するためのプログラムを含むか、または格納する任意の有形媒体であり得るマシン読み取り可能な媒体上で具現化され得る。マシン読み取り可能な媒体は、マシン読み取り可能信号媒体またはマシン読み取り可能記憶媒体であり得る。マシン読み取り可能な媒体は、電子、磁気、光学、電磁気、赤外線、または半導体システム、装置、またはデバイス、あるいは前述の任意の適切な組み合わせを含むが、これらに限定されない。マシン読み取り可能記憶媒体のより具体的な例には、１つまたは複数のワイヤを備える電気接続、ポータブルコンピュータディスケット、ハードディスク、ランダムアクセスメモリ（ＲＡＭ）、読み取り専用メモリ（ＲＯＭ）、消去可能なプログラマブル読み出し専用メモリ（ＥＰＲＯＭまたはフラッシュメモリ）、光ファイバー、ポータブルコンパクトディスク読み取り専用メモリ（ＣＤ−ＲＯＭ）、光学式ストレージデバイス、磁気ストレージデバイス、または前述の任意の適切な組み合わせが含まれる。
【０１４２】
さらに、操作は特定の順序で図面に描かれているが、これは、望ましい結果を達成するために、そのような操作が示された特定の順序または順番で実行されること、またはすべての説明された操作が実行されることを要求するものとして理解されるべきではない。特定の状況では、マルチタスクと並列処理が有利な場合がある。同様に、上記説明にはいくつかの特定の実装の詳細が含まれているが、これらは本開示の範囲の制限としてではなく、特定の実施形態に特有の特徴の説明として解釈されるべきである。別個の実施形態の文脈で記載されている特定の特徴は、単一の実施形態に組み合わせて実施することもできる。逆に、単一の実施形態の文脈で説明される様々な特徴は、複数の実施形態で別々に、または任意の適切なサブコンビネーションで実施することもできる。
【０１４３】
本開示は、構造的特徴および／または方法論的動作に特有の用語で説明されてきたが、添付の請求の範囲で規定される本開示は、必ずしも上記の特定の特徴または動作に限定されないことを理解されたい。むしろ、上記の特定の特徴および動作は、請求の範囲を実施する例示的な形態として開示されている。
【図１】
2021502777.tif 000003
【図２】
2021502777.tif 000004
【図３】
2021502777.tif 000005
【図４Ａ】
2021502777.tif 000006
【図４Ｂ】
2021502777.tif 000007
【図４Ｃ】
2021502777.tif 000008
【図４Ｄ】
2021502777.tif 000009
【図５】
2021502777.tif 000010
【図６】
2021502777.tif 000011
【図７】
2021502777.tif 000012
【図８】
2021502777.tif 000013
【図９Ａ】
2021502777.tif 000014
【図９Ｂ】
2021502777.tif 000015
【図１０】
2021502777.tif 000016
【図１１Ａ】
2021502777.tif 000017
【図１１Ｂ】
2021502777.tif 000018
【図１２】
2021502777.tif 000019
【図１３Ａ】
2021502777.tif 000020
【図１３Ｂ】
2021502777.tif 000021
【図１４】
2021502777.tif 000022
【図１５】
2021502777.tif 000023
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
ＲＢ（Resource Block）オフセットを使用して、ＰＴＲＳ（Phase Tracking Reference Signal）をサブキャリアにマッピングし、
前記サブキャリアにマッピングされた前記ＰＴＲＳをネットワーク装置に送信し、
前記ＲＢオフセットは、Ｒ  ｍｏｄ  Ｄで表され、
前記Ｒは、スクランブリングのＩＤであり、
前記Ｄは、ＰＴＲＳ周波数密度に関するパラメータである、端末。
【請求項２】
前記Ｄが、２又は４である、請求項１に記載の端末。
【請求項３】
サブキャリアにマッピングされたＰＴＲＳ（Phase Tracking Reference Signal）を端末から受信し、
ＲＢ（Resource Block）オフセットを使用して、前記ＰＴＲＳがマッピングされたサブキャリアを認識し、
前記ＲＢオフセットは、Ｒ  ｍｏｄ  Ｄで表され、
前記Ｒは、スクランブリングのＩＤであり、
前記Ｄは、ＰＴＲＳ周波数密度に関するパラメータである、ネットワーク装置。
【請求項４】
前記Ｄが、２又は４である、請求項３に記載のネットワーク装置。
【請求項５】
ＲＢ（Resource Block）オフセットを使用して、ＰＴＲＳ（Phase Tracking Reference Signal）をサブキャリアにマッピングし、
前記サブキャリアにマッピングされた前記ＰＴＲＳを送信し、
前記ＲＢオフセットは、Ｒ  ｍｏｄ  Ｄで表され、
前記Ｒは、スクランブリングのＩＤであり、
前記Ｄは、ＰＴＲＳ周波数密度に関するパラメータである、方法。
【請求項６】
サブキャリアにマッピングされたＰＴＲＳ（Phase Tracking Reference Signal）を受信し、
ＲＢ（Resource Block）オフセットを使用して、前記ＰＴＲＳがマッピングされたサブキャリアを認識し、
前記ＲＢオフセットは、Ｒ  ｍｏｄ  Ｄで表され、
前記Ｒは、スクランブリングのＩＤであり、
前記Ｄは、ＰＴＲＳ周波数密度に関するパラメータである、方法。
【請求項７】
前記Ｄが、２又は４である、請求項５又は６に記載の方法。
【国際調査報告】
2021502777.tif 000024
2021502777.tif 000025